(57)【要約】提供されるのは、リソース場所を示すための方法である。本方法は、第１のタイプのノードによって、リソース場所情報を第２のタイプのノードに送信することを含み、リソース場所情報は、少なくとも、リソースの周波数ドメイン場所を示し、周波数ドメイン場所は、第１のリソースの周波数ドメイン場所または第２のリソースの周波数ドメイン場所のうちの少なくとも１つを含み、第１のリソースまたは第２のリソースは、帯域幅部分（ＢＷＰ）、物理ダウンリンク共有チャネル（ＰＤＳＣＨ）によって占有されるリソース、または共通制御リソースセットのうちの少なくとも１つを含む。また、提供されるのは、リソース場所を示すためのデバイス、ならびにリソース場所を受信するための方法、デバイス、端末、基地局、プロセッサ、および記憶媒体である。【選択図】図２
2020533833.tif 000002
【特許請求の範囲】
【請求項１】
リソース場所を示すための方法であって、
第１のタイプのノードによって、リソース場所情報を第２のタイプのノードに送信することを含み、
前記リソース場所情報は、少なくとも、リソースの周波数ドメイン場所を示し、
前記周波数ドメイン場所は、第１のリソースの周波数ドメイン場所または第２のリソースの周波数ドメイン場所のうちの少なくとも１つを含み、前記第１のリソースまたは前記第２のリソースは、帯域幅部分（ＢＷＰ）、物理ダウンリンク共有チャネル（ＰＤＳＣＨ）によって占有されるリソース、または共通制御リソースセットのうちの少なくとも１つを含む、方法。
【請求項２】
前記第１のリソースの周波数ドメイン場所は、同期信号（ＳＳ）ブロックの周波数ドメイン場所であり、
前記第２のリソースの周波数ドメイン場所は、前記共通制御リソースセットの周波数ドメイン場所である、請求項１に記載の方法。
【請求項３】
前記共通制御リソースセットは、前記ＢＷＰまたは前記ＰＤＳＣＨによって占有されるリソース内に位置する、または
前記共通制御リソースセットは、前記ＢＷＰまたは前記ＰＤＳＣＨによって占有されるリソースと部分的に重複する、または
前記共通制御リソースセットは、前記ＢＷＰまたは前記ＰＤＳＣＨによって占有されるリソースと重複しない、または
前記共通制御リソースセットは、前記ＢＷＰまたは前記ＰＤＳＣＨによって占有されるリソースとの固定関係を有していない、請求項１に記載の方法。
【請求項４】
前記共通制御リソースセット内で伝送される制御情報によってスケジュールされるリソースは、前記ＢＷＰまたは前記ＰＤＳＣＨによって占有されるリソース内に位置する、請求項１に記載の方法。
【請求項５】
前記第１のタイプのノードが前記第１のリソースの周波数ドメイン場所を前記第２のタイプのノードに示すことは、
前記第１のリソースから参照点までの周波数ドメインオフセットを示すこと、または
前記第１のリソースから参照点までの周波数ドメインオフセットおよび前記第１のリソースの帯域幅を示すこと
を含み、
前記参照点は、物理キャリア、ダウンリンクＳＳ帯域幅、またはダウンリンクＳＳブロックのうちの任意の１つの中心または境界を含む、請求項１に記載の方法。
【請求項６】
前記第１のタイプのノードが前記第２のリソースの周波数ドメイン場所を前記第２のタイプのノードに示すことは、
前記第２のリソースから参照点または前記第１のリソースまでの周波数ドメインオフセットを示すこと、または
前記第２のリソースから参照点または前記第１のリソースまでの周波数ドメインオフセットおよび前記第２のリソースの帯域幅または前記第２のリソースの帯域幅と前記第１のリソースの帯域幅との間の関係を示すこと
を含み、
前記参照点は、物理キャリア、ダウンリンクＳＳ帯域幅、またはＳＳブロックのうちの任意の１つの中心または境界を含む、請求項１に記載の方法。
【請求項７】
前記ＢＷＰの周波数ドメイン場所を示すことは、前記ＢＷＰのインデックスを示すことを含む、請求項１に記載の方法。
【請求項８】
前記第１のリソースの周波数ドメイン場所は、以下の様式において、前記ＳＳブロックの周波数ドメイン場所であると判定される、すなわち、
前記第１のタイプのノードは、システム帯域幅内の１つ以上のＳＳブロックを構成し、各ＳＳブロックの周波数ドメイン場所は、インデックスに対応し、
前記第１のリソースの周波数ドメイン場所は、前記１つ以上のＳＳブロックの周波数ドメイン場所のうちの１つとして構成される、請求項２に記載の方法。
【請求項９】
前記ＳＳブロックの周波数ドメイン場所を示すことは、前記ＳＳブロックの周波数ドメイン場所インデックスを示すことを含む、請求項２に記載の方法。
【請求項１０】
前記第１のタイプのノードが前記リソースの周波数ドメイン場所を前記第２のタイプのノードに示すことは、
前記第１のタイプのノードによって、物理ブロードキャストチャネル（ＰＢＣＨ）に関するリソース場所情報を伝送すること、
前記第１のタイプのノードによって、無線リソース制御（ＲＲＣ）専用シグナリングに関するリソース場所情報を伝送すること、
前記第１のタイプのノードによって、前記第１のリソースの周波数ドメイン場所情報をＰＢＣＨ上で伝送し、前記第２のリソースの周波数ドメイン場所情報をＲＲＣ専用シグナリング上で伝送すること、または
前記第１のリソースの周波数ドメイン場所情報および／または前記第２のリソースの周波数ドメイン場所情報の一部をＰＢＣＨ上で伝送し、前記第２のリソースの周波数ドメイン場所情報の残りの部分をＲＲＣシグナリング上で伝送すること
のうちの１つを含む、請求項１に記載の方法。
【請求項１１】
前記ＲＲＣ専用シグナリングは、前記第１のタイプのノードに隣接するノードによって前記第２のタイプのノードに送信される、請求項１０に記載の方法。
【請求項１２】
前記周波数ドメイン内のオフセットは、オフセットまたはオフセット方向インジケーションのうちの少なくとも１つを含む、請求項５または６に記載の方法。
【請求項１３】
前記周波数ドメイン内のオフセットは、チャネルの数、チャネルグループの数、物理リソースブロック（ＰＲＢ）の数、ＰＲＢグループの数、またはサブキャリアの数のうちの少なくとも１つによって表される、請求項５または６に記載の方法。
【請求項１４】
前記リソースの周波数ドメイン場所は、周波数ドメイン内のリソースの中心場所である、
前記リソースの周波数ドメイン場所は、周波数ドメイン内のリソースの境界場所である、
前記リソースの周波数ドメイン場所は、周波数ドメイン内のリソースの中心場所および周波数ドメインリソースの帯域幅である、
前記リソースの周波数ドメイン場所は、周波数ドメイン内のリソースの境界場所および周波数ドメインリソースの帯域幅である、または
前記リソースの周波数ドメイン場所は、周波数ドメインリソースの帯域幅である、請求項１に記載の方法。
【請求項１５】
リソース場所を受信するための方法であって、
第２のタイプのノードによって、リソースの周波数ドメイン場所を示すために第１のタイプのノードによって送信されるリソース場所情報を受信することを含み、
前記周波数ドメイン場所は、第１のリソースの周波数ドメイン場所または第２のリソースの周波数ドメイン場所のうちの少なくとも１つを含み、前記第１のリソースまたは前記第２のリソースは、帯域幅部分（ＢＷＰ）、物理ダウンリンク共有チャネル（ＰＤＳＣＨ）によって占有されるリソース、または共通制御リソースセットのうちの少なくとも１つを含む、方法。
【請求項１６】
前記第１のリソースの周波数ドメイン場所は、同期信号ブロック（ＳＳブロック）の周波数ドメイン場所であり、
前記第２のリソースの周波数ドメイン場所は、前記共通制御リソースセットの周波数ドメイン場所である、請求項１５に記載の方法。
【請求項１７】
前記第２のタイプのノードによって、前記第１のタイプのノードによって示される前記第１のリソースの周波数ドメイン場所を受信し、事前に定義されたルールに従って、前記第２のリソースの周波数ドメイン場所を判定することをさらに含む、請求項１５に記載の方法。
【請求項１８】
前記事前に定義されたルールは、１つ以上の要因と周波数ドメインオフセットとの間の事前に定義された関係であり、前記要因は、ＳＳブロックインデックス、物理セル識別子、システムフレーム番号、または帯域情報のうちの少なくとも１つを含む、請求項１７に記載の方法。
【請求項１９】
第１のタイプのノードに適用される、リソース場所を示すためのデバイスであって、
リソース場所情報を第２のタイプのノードに送信するように構成される、送信モジュールを備え、
前記リソース場所情報は、少なくとも、リソースの周波数ドメイン場所を示し、
前記周波数ドメイン場所は、第１のリソースの周波数ドメイン場所または第２のリソースの周波数ドメイン場所のうちの少なくとも１つを含み、前記第１のリソースまたは前記第２のリソースは、帯域幅部分（ＢＷＰ）、物理ダウンリンク共有チャネル（ＰＤＳＣＨ）によって占有されるリソース、または共通制御リソースセットのうちの少なくとも１つを含む、デバイス。
【請求項２０】
前記第１のリソースの周波数ドメイン場所は、同期信号ブロック（ＳＳブロック）の周波数ドメイン場所であり、
前記第２のリソースの周波数ドメイン場所は、前記共通制御リソースセットの周波数ドメイン場所である、請求項１９に記載のデバイス。
【請求項２１】
第２のタイプのノードに適用される、リソース場所を受信するためのデバイスであって、
リソースの周波数ドメイン場所を示すために第１のタイプのノードによって送信されるリソース場所情報を受信するように構成される、受信モジュールを備え、
前記周波数ドメイン場所は、第１のリソースの周波数ドメイン場所または第２のリソースの周波数ドメイン場所のうちの少なくとも１つを含み、前記第１のリソースまたは前記第２のリソースは、帯域幅部分（ＢＷＰ）、物理ダウンリンク共有チャネル（ＰＤＳＣＨ）によって占有されるリソース、または共通制御リソースセットのうちの少なくとも１つを含む、デバイス。
【請求項２２】
前記第１のリソースの周波数ドメイン場所は、同期信号ブロック（ＳＳブロック）の周波数ドメイン場所であり、
前記第２のリソースの周波数ドメイン場所は、前記共通制御リソースセットの周波数ドメイン場所である、請求項２１に記載のデバイス。
【請求項２３】
記憶されたプログラムを備える、記憶媒体であって、前記プログラムは、実行されると、請求項１−１４のいずれか１項に記載のリソース場所を示すための方法を実施する、記憶媒体。
【請求項２４】
記憶されたプログラムを備える、記憶媒体であって、前記プログラムは、実行されると、請求項１５−１８のいずれか１項に記載のリソース場所を受信するための方法を実施する、記憶媒体。
【請求項２５】
プログラムを実行するように構成される、プロセッサであって、実行されると、請求項１−１４のいずれか１項に記載のリソース場所を示すための方法を実施する、プロセッサ。
【請求項２６】
プログラムを実行するように構成される、プロセッサであって、実行されると、請求項１５−１８のいずれか１項に記載のリソース場所を受信するための方法を実施する、プロセッサ。
【請求項２７】
基地局であって、
プロセッサと、前記プロセッサによって実行されると、リソース場所情報を第２のタイプのノードに送信する動作を実施する、プロセッサ実行可能命令を記憶するメモリとを備え、前記リソース場所情報は、少なくとも、リソースの周波数ドメイン場所を示し、
前記周波数ドメイン場所は、第１のリソースの周波数ドメイン場所または第２のリソースの周波数ドメイン場所のうちの少なくとも１つを含み、前記第１のリソースまたは前記第２のリソースは、帯域幅部分（ＢＷＰ）、物理ダウンリンク共有チャネル（ＰＤＳＣＨ）によって占有されるリソース、または共通制御リソースセットのうちの少なくとも１つを含む、基地局。
【請求項２８】
端末であって、
プロセッサと、前記プロセッサによって実行されると、リソースの周波数ドメイン場所を示すために第１のタイプのノードによって送信されるリソース場所情報を受信する動作を実施する、プロセッサ実行可能命令を記憶するメモリとを備え、
前記周波数ドメイン場所は、第１のリソースの周波数ドメイン場所または第２のリソースの周波数ドメイン場所のうちの少なくとも１つを含み、前記第１のリソースまたは前記第２のリソースは、帯域幅部分（ＢＷＰ）、物理ダウンリンク共有チャネル（ＰＤＳＣＨ）によって占有されるリソース、または共通制御リソースセットのうちの少なくとも１つを含む、端末。
【発明の詳細な説明】
【技術分野】
【０００１】
（関連出願の相互参照）
本願は、その開示が、参照することによってその全体として本明細書に組み込まれる、２０１７年８月１１日に出願された、中国特許出願第２０１７１０６８７２３１．８号の優先権を主張する。
【０００２】
（技術分野）
本ソリューションは、通信に関し、特に、リソース場所を示し、それを受信するための方法、デバイス、装置、および記憶媒体に関する。
【背景技術】
【０００３】
（背景）
将来的無線通信システム（例えば、第５世代モバイル通信技術（５Ｇ））では、４Ｇ通信システムにおいて使用されるものより高いキャリア周波数が、２８ＧＨｚおよび４５ＧＨｚ等の通信のために使用され、５Ｇの新しい無線アクセス技術（ＲＡＴ）システムの潜在的動作帯域は、１００ＧＨｚに到達するであろう。高周波数通信のキャリア周波数は、より短い波長を有するため、より多くのアンテナ要素が、単位面積あたり適応され得る。より多くのアンテナ要素は、ビーム形成方法が、アンテナ利得を改良するために採用され、それによって、高周波数通信のカバレッジ性能を確実にし得ることを意味する。
【０００４】
ビーム形成方法では、送信機は、伝送エネルギーをある方向に集中させ得、他の方向における伝送エネルギーは、殆どまたは全くなく、すなわち、各ビームは、その独自の方向性を有し、ある方向における端末のみを網羅し得る。送信機、すなわち、基地局は、全カバレッジを実装するために、数十またはさらに数百の方向においてビーム走査する必要がある。既存の技術では、ビーム方向の予備測定および識別が、通常、端末のネットワークへの初期アクセスプロシージャの間に実施され、基地局側における各伝送ビームは、端末が好ましいビームまたはポートを測定および識別し得るように、ある時間インターバル内でポーリングされる。具体的には、複数の同期信号（ＳＳ）ブロックが、１つの同期信号伝送周期内に存在し、各ＳＳブロックは、具体的ビーム／ポート（グループ）の同期信号を伝達し、１つのビーム走査は、１つの同期信号伝送周期内で完了される、すなわち、全てのビーム／ポートの伝送が、完了される。
【０００５】
既存の技術では、物理キャリアの中心周波数点（すなわち、直流成分）は、各チャネル番号に対応する周波数ドメイン場所に位置する。隣接するチャネル番号間の周波数インターバルは、チャネルラスタインターバルまたはキャリアラスタインターバルと称される。端末が同期信号（ＳＳ）を検索するための周波数ドメイン内のステップサイズは、周波数ラスタインターバルまたはＵＥラスタインターバルと称される。ロングタームエボリューション（ＬＴＥ）システムでは、ＵＥラスタインターバルは、チャネルラスタインターバルと同一である、すなわち、端末は、チャネル番号に対応する可能性として考えられる周波数ドメイン場所毎にＳＳを検索する。図１に示されるように、図１は、ＵＥラスタが既存の技術におけるチャネルラスタと同一であることの概略図である。
【０００６】
ＮＲでは、スペクトルをよりフレキシブルに展開し、周波数ドメインにおける端末検索の複雑性を低減させるために、業界は、より大きいＵＥラスタインターバルを使用することを提案している、すなわち、ＵＥラスタインターバルは、チャネルラスタインターバルより大きくてもよい。この場合、ＳＳ、ブロードキャストチャネル、または他の関連信号／チャネルの中心周波数点は、物理キャリアの中心周波数点と異なり得る。最小キャリア帯域幅および同期帯域幅は、現在の規格議論において判定されており、これは、ＵＥラスタインターバルの最大値が、判定されており、ＵＥラスタインターバルの最小値が、チャネルラスタインターバルを上回るまたはそれと等しいことを意味する。ＵＥラスタインターバルが、最小値と最大値との間のある値をとる場合、ＮＲシステム帯域幅が、通常、大きいため、１つの物理キャリア帯域幅は、複数のＳＳブロックを周波数ドメイン内に含有し得る。
【０００７】
加えて、高周波数通信の動作帯域幅は、通常、最大で数百ＭＨｚと高い。リソーススケジューリングオーバーヘッドを低減させ、小帯域幅能力を伴う端末が正常に通信することを可能にするために、関連技術では、ＮＲシステムの物理キャリア帯域幅は、複数の帯域幅部分（ＢＷＰ）に分割され得る、データ伝送のためのリソースは、ＢＷＰ内で端末のためにスケジュールされ得る、またはブロードキャスト情報が、端末に伝送され得る。ＮＲでは、共通制御情報は、共通制御リソースセット（ＣＯＲＥＳＥＴ）内で伝送され、重要な情報である。例えば、ページング、あるＵＥ特有制御情報、およびあるブロードキャスト情報は、共通制御情報に関連し、共通ＣＯＲＥＳＥＴによってスケジュールされるスペクトルリソースは、あるＢＷＰまたは物理ダウンリンク共有チャネル（ＰＤＳＣＨ）リソース内にある必要がある。基地局が、ＢＷＰ、ＰＤＳＣＨ、および共通ＣＯＲＥＳＥＴのリソース場所を示す方法は、したがって、重要である。
【発明の概要】
【発明が解決しようとする課題】
【０００８】
（要約）
上記に照らして、本ソリューションの実施形態は、ＢＷＰ、ＰＤＳＣＨ、および共通ＣＯＲＥＳＥＴのリソース場所を効果的に示すように、リソース場所を示し、それを受信するための方法、デバイス、装置、および記憶媒体を提供することを意図する。
【課題を解決するための手段】
【０００９】
本ソリューションの実施形態は、リソース場所を示すための方法を提供する。本方法は、以下のステップを含む。
【００１０】
第１のタイプのノードが、リソース場所情報を第２のタイプのノードに送信し、リソース場所情報は、少なくとも、リソースの周波数ドメイン場所を示し、周波数ドメイン場所は、第１のリソースの周波数ドメイン場所または第２のリソースの周波数ドメイン場所のうちの少なくとも１つを含み、第１のリソースまたは第２のリソースは、ＢＷＰ、ＰＤＳＣＨによって占有されるリソース、または共通ＣＯＲＥＳＥＴのうちの少なくとも１つを含む。
【００１１】
ある実施形態では、第１のリソースの周波数ドメイン場所は、ＳＳブロックの周波数ドメイン場所であり、第２のリソースの周波数ドメイン場所は、共通ＣＯＲＥＳＥＴの周波数ドメイン場所である。
【００１２】
ある実施形態では、共通ＣＯＲＥＳＥＴは、ＢＷＰまたはＰＤＳＣＨによって占有されるリソース内に含まれる、共通ＣＯＲＥＳＥＴは、ＢＷＰまたはＰＤＳＣＨによって占有されるリソースと部分的に重複する、共通ＣＯＲＥＳＥＴは、ＢＷＰまたはＰＤＳＣＨによって占有されるリソースと重複しない、または共通ＣＯＲＥＳＥＴは、ＢＷＰまたはＰＤＳＣＨによって占有されるリソースとの固定関係を有していない。
【００１３】
ある実施形態では、共通ＣＯＲＥＳＥＴ内で伝送される制御情報によってスケジュールされるリソースは、ＢＷＰまたはＰＤＳＣＨによって占有されるリソース内に位置する。
【００１４】
ある実施形態では、第１のタイプのノードが第１のリソースの周波数ドメイン場所を第２のタイプのノードに示すステップは、第１のリソースから参照点までの周波数ドメインオフセットを示すこと、または第１のリソースから参照点までの周波数ドメインオフセットおよび第１のリソースの帯域幅を示すことを含み、参照点は、物理キャリア、ダウンリンクＳＳ帯域幅、またはダウンリンクＳＳブロックのうちの任意の１つの中心または境界を含む。
【００１５】
ある実施形態では、第１のタイプのノードが第２のリソースの周波数ドメイン場所を第２のタイプのノードに示すステップは、第２のリソースから参照点または第１のリソースまでの周波数ドメインオフセットを示すこと、または第２のリソースから参照点または第１のリソースまでの周波数ドメインオフセットおよび第２のリソースの帯域幅または第２のリソースの帯域幅と第１のリソースの帯域幅との間の関係を示すことを含み、参照点は、物理キャリア、ダウンリンクＳＳ帯域幅、またはダウンリンクＳＳブロックのうちの任意の１つの中心または境界を含む。
【００１６】
ある実施形態では、ＢＷＰの周波数ドメインを示すことは、ＢＷＰのインデックスを示すことを含む。
【００１７】
ある実施形態では、第１のリソースの周波数ドメイン場所は、以下の様式において、ＳＳブロックの周波数ドメイン場所であると判定される、すなわち、第１のタイプのノードは、システム帯域幅内の１つ以上のＳＳブロックを構成し、各ＳＳブロックの周波数ドメイン場所は、インデックスに対応し、第１のリソースの周波数ドメイン場所は、１つ以上のＳＳブロックの周波数ドメイン場所のうちの１つとして構成される。
【００１８】
ある実施形態では、ＳＳブロックの周波数ドメイン場所を示すことは、ＳＳブロックの周波数ドメイン場所インデックスを示すことを含む。
【００１９】
ある実施形態では、第１のタイプのノードがリソースの周波数ドメイン場所を第２のタイプのノードに示すステップは、第１のタイプのノードによって、物理ブロードキャストチャネル（ＰＢＣＨ）に関するリソース場所情報を伝送すること、第１のタイプのノードによって、無線リソース制御（ＲＲＣ）専用シグナリングに関するリソース場所情報を伝送すること、第１のタイプのノードによって、第１のリソースの周波数ドメイン場所情報をＰＢＣＨ上で伝送し、第２のリソースの周波数ドメイン場所情報をＲＲＣ専用シグナリング上で伝送すること、または第１のリソースの周波数ドメイン場所情報および／または第２のリソースの周波数ドメイン場所情報の一部をＰＢＣＨ上で伝送し、第２のリソースの周波数ドメイン場所情報の残りの部分をＲＲＣシグナリング上で伝送することのうちの１つを含む。
【００２０】
ある実施形態では、ＲＲＣ専用シグナリングは、第１のタイプのノードに隣接するノードによって第２のタイプのノードに送信される。
【００２１】
ある実施形態では、周波数ドメイン内のオフセットは、オフセットまたはオフセット方向（左または右）インジケーションのうちの少なくとも１つを含む。
【００２２】
ある実施形態では、周波数ドメイン内のオフセットは、チャネルの数、チャネルグループの数、物理リソースブロック（ＰＲＢ）の数、ＰＲＢグループの数、またはサブキャリアの数のうちの１つ以上によって表される。
【００２３】
ある実施形態では、リソースの周波数ドメイン場所は、周波数ドメイン内のリソースの中心場所、周波数ドメイン内のリソースの境界場所、周波数ドメイン内のリソースの中心場所および帯域幅、周波数ドメイン内のリソースの帯域幅の境界場所、またはリソースの帯域幅のうちの１つである。
【００２４】
本ソリューションの実施形態はさらに、リソース場所を受信するための方法を提供する。本方法は、以下のステップ、すなわち、リソースの周波数ドメイン場所を示すために、第２のタイプのノードが第１のタイプのノードによって送信されるリソース場所情報を受信することを含み、周波数ドメイン場所は、第１のリソースの周波数ドメイン場所または第２のリソースの周波数ドメイン場所のうちの少なくとも１つを含み、第１のリソースまたは第２のリソースは、ＢＷＰ、ＰＤＳＣＨによって占有されるリソース、または共通ＣＯＲＥＳＥＴのうちの少なくとも１つを含む。
【００２５】
ある実施形態では、第１のリソースの周波数ドメイン場所は、ＳＳブロックの周波数ドメイン場所であり、第２のリソースの周波数ドメイン場所は、共通ＣＯＲＥＳＥＴの周波数ドメイン場所である。
【００２６】
ある実施形態では、本方法はさらに、以下のステップ、すなわち、第２のタイプのノードが、第１のタイプのノードによって示される第１のリソースの周波数ドメイン場所を受信し、事前に定義されたルールに従って、第２のリソースの周波数ドメイン場所を判定することを含む。
【００２７】
ある実施形態では、事前に定義されたルールは、１つ以上の要因と周波数ドメインオフセットとの間の事前に定義された関係であり、要因は、ＳＳブロックインデックス、物理セル識別子（ＩＤ）、システムフレーム番号（ＳＦＮ）、または帯域情報のうちの少なくとも１つを含む。
【００２８】
本ソリューションの実施形態はさらに、リソース場所を受信するためのデバイスを提供する。本デバイスは、第１のタイプのノードに適用され、送信モジュールを含む。送信モジュールは、リソース場所情報を第２のタイプのノードに送信するように構成され、リソース場所情報は、少なくとも、リソースの周波数ドメイン場所を示し、周波数ドメイン場所は、第１のリソースの周波数ドメイン場所または第２のリソースの周波数ドメイン場所のうちの少なくとも１つを含み、第１のリソースまたは第２のリソースは、ＢＷＰ、ＰＤＳＣＨによって占有されるリソース、または共通ＣＯＲＥＳＥＴのうちの少なくとも１つを含む。
【００２９】
ある実施形態では、第１のリソースの周波数ドメイン場所は、ＳＳブロックの周波数ドメイン場所であり、第２のリソースの周波数ドメイン場所は、共通ＣＯＲＥＳＥＴの周波数ドメイン場所である。
【００３０】
本ソリューションの実施形態はさらに、リソース場所を受信するためのデバイスを提供する。本デバイスは、第２のタイプのノードに適用され、受信モジュールを含む。受信モジュールは、リソースの周波数ドメイン場所を示すために第１のタイプのノードによって送信されるリソース場所情報を受信するように構成され、周波数ドメイン場所は、第１のリソースの周波数ドメイン場所または第２のリソースの周波数ドメイン場所のうちの少なくとも１つを含み、第１のリソースまたは第２のリソースは、ＢＷＰ、ＰＤＳＣＨによって占有されるリソース、または共通ＣＯＲＥＳＥＴのうちの少なくとも１つを含む。
【００３１】
ある実施形態では、第１のリソースの周波数ドメイン場所は、ＳＳブロックの周波数ドメイン場所であり、第２のリソースの周波数ドメイン場所は、共通ＣＯＲＥＳＥＴの周波数ドメイン場所である。
【００３２】
本ソリューションの実施形態はさらに、記憶媒体を提供する。本記憶媒体は、記憶されたプログラムを含み、プログラムは、実行されると、本ソリューションの実施形態によるリソース場所を示すための方法を実施する。
【００３３】
本ソリューションの実施形態はさらに、記憶媒体を提供する。本記憶媒体は、記憶されたプログラムを含み、プログラムは、実行されると、本ソリューションの実施形態によるリソース場所を受信するための方法を実施する。
【００３４】
本ソリューションの実施形態はさらに、プロセッサを提供する。プロセッサは、プログラムを実行するように構成され、実行されると、プログラムは、本ソリューションの実施形態によるリソース場所を示すための方法を実施する。
【００３５】
本ソリューションの実施形態はさらに、プロセッサを提供する。プロセッサは、プログラムを実行するように構成され、実行されると、プログラムは、本ソリューションの実施形態によるリソース場所を受信するための方法を実施する。
【００３６】
本ソリューションの実施形態はさらに、基地局を提供する。基地局は、プロセッサと、メモリとを含む。
【００３７】
プロセッサ実行可能命令を記憶するメモリは、プロセッサによって実行されると、以下の動作、すなわち、リソース場所情報を第２のタイプのノードに送信することを実施し、リソース場所情報は、少なくとも、リソースの周波数ドメイン場所を示す。
【００３８】
周波数ドメイン場所は、第１のリソースの周波数ドメイン場所または第２のリソースの周波数ドメイン場所のうちの少なくとも１つを含み、第１のリソースまたは第２のリソースは、ＢＷＰ、ＰＤＳＣＨによって占有されるリソース、または共通ＣＯＲＥＳＥＴのうちの少なくとも１つを含む。
【００３９】
本ソリューションの実施形態はさらに、端末を提供する。本端末は、プロセッサと、メモリとを含む。
【００４０】
プロセッサ実行可能命令を記憶するメモリは、プロセッサによって実行されると、以下の動作、すなわち、リソースの周波数ドメイン場所を示すために第１のタイプのノードによって送信されるリソース場所情報を受信することを実施する。
【００４１】
周波数ドメイン場所は、第１のリソースの周波数ドメイン場所または第２のリソースの周波数ドメイン場所のうちの少なくとも１つを含み、第１のリソースまたは第２のリソースは、ＢＷＰ、ＰＤＳＣＨによって占有されるリソース、または共通ＣＯＲＥＳＥＴのうちの少なくとも１つを含む。
【００４２】
本ソリューションの実施形態によって提供される、リソース場所を示し、それを受信するための方法、デバイス、装置（端末、基地局、またはプロセッサ）、および記憶媒体では、第１のタイプのノードが、リソース場所情報を第２のタイプのノードに送信し、リソース場所情報は、少なくとも、リソースの周波数ドメイン場所を示し、周波数ドメイン場所は、第１のリソースの周波数ドメイン場所または第２のリソースの周波数ドメイン場所のうちの少なくとも１つを含み、第１のリソースまたは第２のリソースは、ＢＷＰ、ＰＤＳＣＨによって占有されるリソース、または共通ＣＯＲＥＳＥＴのうちの少なくとも１つを含む。言い換えると、第１のタイプのノードは、基地局が、ＢＷＰ、ＰＤＳＣＨ、および共通ＣＯＲＥＳＥＴのリソース場所を効果的に示すように、リソース場所情報を第２のタイプのノードに送信し、リソースの周波数ドメイン場所を示す。
【図面の簡単な説明】
【００４３】
【図１】図１は、ＵＥラスタが関連技術におけるチャネルラスタと同一であることの概略図である。
【００４４】
【図２】図２は、本ソリューションのある実施形態による、リソース場所を示すための方法のフローチャートである。
【００４５】
【図３】図３は、本ソリューションのある実施形態による、ＮＲキャリア内のＳＳブロック、ＢＷＰ、および共通ＣＯＲＥＳＥＴの周波数ドメイン場所の概略図である。
【００４６】
【図４】図４は、本ソリューションのある実施形態による、ＮＲキャリア内のＳＳブロック、ＢＷＰ、および共通ＣＯＲＥＳＥＴの周波数ドメイン場所の概略図（１）である。
【００４７】
【図５】図５は、本ソリューションのある実施形態による、ＮＲキャリア内のＳＳブロック、ＢＷＰ、および共通ＣＯＲＥＳＥＴの周波数ドメイン場所の概略図（２）である。
【００４８】
【図６】図６は、本ソリューションのある実施形態による、リソース場所を示すための方法の概略図である。
【００４９】
【図７】図７は、本ソリューションのある実施形態による、リソース場所を示すための方法の概略図（１）である。
【００５０】
【図８】図８は、本ソリューションのある実施形態による、リソース場所を示すための方法の概略図（２）である。
【００５１】
【図９】図９は、本ソリューションのある実施形態による、リソース場所を示すための方法の概略図（３）である。
【００５２】
【図１０】図１０は、本ソリューションのある実施形態による、リソース場所を示すための方法の概略図（４）である。
【００５３】
【図１１】図１１は、本ソリューションのある実施形態による、リソース場所を示すための方法の概略図（５）である。
【００５４】
【図１２】図１２は、本ソリューションのある実施形態による、リソース場所を示すためのデバイスのブロック図である。
【００５５】
【図１３】図１３は、本ソリューションのある実施形態による、リソース場所を受信するための方法のフローチャートである。
【００５６】
【図１４】図１４は、本ソリューションのある実施形態による、リソース場所を受信するためのデバイスの構造略図である。
【００５７】
【図１５】図１５は、本ソリューションのある実施形態による、基地局のブロック図である。
【００５８】
【図１６】図１６は、本ソリューションのある実施形態による、端末のブロック図である。
【発明を実施するための形態】
【００５９】
（詳細な説明）
本ソリューションは、図面を参照して、かつ実施形態と併せて、以降で詳細に説明されるであろう。矛盾しない場合、本願におけるその中の実施形態および特徴は、相互に組み合わせられることができることに留意されたい。
【００６０】
本ソリューションの説明、請求項、および図面中の用語「第１」、「第２」、および同等物は、類似オブジェクトを区別するために使用され、必ずしも、特定の順序またはシーケンスを説明するために使用されるわけではないことに留意されたい。
【００６１】
本実施形態は、リソース場所を示すための方法を提供する。図２は、本ソリューションのある実施形態による、リソース場所を示すための方法のフローチャートである。図２に示されるように、本方法は、下記に説明されるステップを含む。
【００６２】
ステップＳ２０２では、第１のタイプのノードが、リソース場所情報を第２のタイプのノードに送信し、リソース場所情報は、少なくとも、リソースの周波数ドメイン場所を示し、周波数ドメイン場所は、第１のリソースの周波数ドメイン場所または第２のリソースの周波数ドメイン場所のうちの少なくとも１つを含み、第１のリソースまたは第２のリソースは、ＢＷＰ、ＰＤＳＣＨによって占有されるリソース、または共通ＣＯＲＥＳＥＴのうちの少なくとも１つを含む。
【００６３】
ある実施形態では、実行体としての上記のステップにおける第１のタイプのノードは、送受信ポイント（ＴＲＰ）、中継ノード、マクロ基地局、マイクロ基地局、ピコ基地局、ホーム基地局、遠隔無線ユニット（ＲＲＵ）、アクセスポイント（ＡＰ）、および第２のタイプのノード等の基地局であってもよく、例えば、端末、中継ノード、または同等物であってもよい。以下の実施形態では、第１のタイプのノードは、例えば、基地局であり、第２のタイプのノードは、例えば、端末であるが、本ソリューションは、それに限定されない。
【００６４】
上記のステップＳ２０２を通して、基地局は、ＢＷＰ、ＰＤＳＣＨ、および共通ＣＯＲＥＳＥＴのリソース場所を効果的に示すことができる。
【００６５】
ある実施形態では、第１のリソースの周波数ドメイン場所は、ＳＳブロックの周波数ドメイン場所であり、第２のリソースの周波数ドメイン場所は、共通ＣＯＲＥＳＥＴの周波数ドメイン場所である。
【００６６】
ある実施形態では、共通ＣＯＲＥＳＥＴは、ＢＷＰまたはＰＤＳＣＨによって占有されるリソース内に含まれる、共通ＣＯＲＥＳＥＴは、ＢＷＰまたはＰＤＳＣＨによって占有されるリソースと部分的に重複する、共通ＣＯＲＥＳＥＴは、ＢＷＰまたはＰＤＳＣＨによって占有されるリソースと重複しない、または共通ＣＯＲＥＳＥＴは、ＢＷＰまたはＰＤＳＣＨによって占有されるリソースとの固定関係を有していない。
【００６７】
ある実施形態では、共通ＣＯＲＥＳＥＴ内で伝送される制御情報によってスケジュールされるリソースは、ＢＷＰまたはＰＤＳＣＨによって占有されるリソース内に位置する。
【００６８】
ある実施形態のある実装モードでは、第１のタイプのノードは、以下の様式、すなわち、第１のリソースから参照点までの周波数ドメインオフセットを示すこと、または第１のリソースから参照点までの周波数ドメインオフセットおよび第１のリソースの帯域幅を示すことにおいて、第１のリソースの周波数ドメイン場所を第２のタイプのノードに示す。
【００６９】
上記の参照点は、物理キャリア、ダウンリンクＳＳ帯域幅、またはダウンリンクＳＳブロックのうちの任意の１つの中心または境界を含むことに留意されたい。
【００７０】
ある実施形態では、第１のタイプのノードは、以下の様式、すなわち、第２のリソースから参照点または第１のリソースまでの周波数ドメインオフセットを示すこと、または第２のリソースから参照点または第１のリソースまでの周波数ドメインオフセットおよび第２のリソースの帯域幅または第２のリソースの帯域幅と第１のリソースの帯域幅との間の関係を示すことにおいて、第１のリソースの周波数ドメイン場所を第２のタイプのノードに示す。
【００７１】
上記の参照点は、物理キャリア、ダウンリンクＳＳ帯域幅、またはダウンリンクＳＳブロックのうちの任意の１つの中心または境界を含むことに留意されたい。
【００７２】
ある実施形態では、ＢＷＰの周波数ドメインを示すことは、ＢＷＰのインデックスを示すことを含む。
【００７３】
ある実施形態では、第１のリソースの周波数ドメイン場所は、以下の様式において、構成されるＳＳブロックの周波数ドメイン場所であると判定される、すなわち、第１のタイプのノードは、システム帯域幅内の１つ以上のＳＳブロックを構成し、各ＳＳブロックの周波数ドメイン場所は、インデックスに対応し、第１のリソースの周波数ドメイン場所は、１つ以上のＳＳブロックの周波数ドメイン場所のうちの１つとして構成される。
【００７４】
ある実施形態では、構成されるＳＳブロックの周波数ドメイン場所を示すことは、構成されるＳＳブロックの周波数ドメイン場所インデックスを示すことを含む。
【００７５】
ある実施形態では、第１のタイプのノードがリソースの周波数ドメイン場所を第２のタイプのノードに示すステップは、第１のタイプのノードによって、ＰＢＣＨに関するリソース場所情報を伝送すること、第１のタイプのノードによって、ＲＲＣ専用シグナリングに関するリソース場所情報を伝送すること、第１のタイプのノードによって、第１のリソースの周波数ドメイン場所情報をＰＢＣＨ上で伝送し、第２のリソースの周波数ドメイン場所情報をＲＲＣ専用シグナリング上で伝送すること、または第１のリソースの周波数ドメイン場所情報および／または第２のリソースの周波数ドメイン場所情報の一部をＰＢＣＨ上で伝送し、第２のリソースの周波数ドメイン場所情報の残りの部分をＲＲＣシグナリング上で伝送することのうちの１つを含む。
【００７６】
ある実施形態では、上記のＲＲＣ専用シグナリングは、第１のタイプのノードに隣接するノードによって第２のタイプのノードに送信される。
【００７７】
ある実施形態では、周波数ドメイン内の上記のオフセットは、オフセットまたはオフセット方向（左または右）インジケーションのうちの少なくとも１つを含む。
【００７８】
ある実施形態では、周波数ドメイン内の上記のオフセットは、チャネルの数、チャネルグループの数、物理リソースブロック（ＰＲＢ）の数、ＰＲＢグループの数、またはサブキャリアの数のうちの１つ以上によって表される。
【００７９】
ある実施形態では、リソースの周波数ドメイン場所は、周波数ドメイン内のリソースの中心場所である、リソースの周波数ドメイン場所は、周波数ドメイン内のリソースの境界場所である、リソースの周波数ドメイン場所は、周波数ドメイン内のリソースの中心場所および周波数ドメインリソースの帯域幅である、リソースの周波数ドメイン場所は、周波数ドメイン内のリソースの境界場所および周波数ドメインリソースの帯域幅である、またはリソースの周波数ドメイン場所は、周波数ドメインリソースの帯域幅である。
【００８０】
本実施形態は、具体的実施例と併せて下記に例証的に説明されるものとする。
【００８１】
下記に説明される随意の実施形態では、相対的チャネル／チャネルグループ／ＰＲＢ／ＰＲＢグループ／サブキャリア番号に関して、Ｂに対するＡの相対的チャネル／チャネルグループ／ＰＲＢ／ＰＲＢグループ／サブキャリア番号は、概して、Ａが位置する周波数ドメイン場所とＢが位置する周波数ドメイン場所との間のチャネルラスタ／チャネルラスタグループ／ＰＲＢ／ＰＲＢグループ／サブキャリアの数の差異を指すことに留意されたい。
【００８２】
周波数ドメイン内のＢに対するＡのオフセット方向に関して、オフセット方向は、Ａが置する周波数ドメイン場所が、Ｂが位置する周波数ドメイン場所より高いとき、右であり、オフセット方向は、Ａが位置する周波数ドメイン場所は、Ｂが位置する周波数ドメイン場所より低いとき、左である。
【００８３】
随意の実施形態１
【００８４】
本随意の実施形態の説明では、第１および第２のリソースの周波数ドメイン場所は、参照点に対する周波数ドメイン内のオフセットを使用して示される。
【００８５】
図３は、ＮＲキャリア内のＳＳブロック、ＢＷＰ、および共通ＣＯＲＥＳＥＴの周波数ドメイン場所を示し、ｎは、ＳＳブロックの中心周波数点に対応するチャネル番号であり、ｍは、ＢＷＰの中心周波数点に対応するチャネル番号であり、ｍ＋ｋは、共通ＣＯＲＥＳＥＴの中心周波数点に対応するチャネル番号である。
【００８６】
ある実施形態では、基地局は、共通ＣＯＲＥＳＥＴ内で伝送される物理ダウンリンク制御チャネル（ＰＤＣＣＨ）によって、ＢＷＰをスケジュールする、またはＢＷＰリソースの一部をスケジュールしてもよく、第１のリソースは、例えば、ＢＷＰであり、第２のリソースは、例えば、共通ＣＯＲＥＳＥＴであり、参照点は、例えば、ＳＳブロックの中心である。本実施形態では、基地局は、ＳＳブロックの中心周波数点に対するＢＷＰおよび共通ＣＯＲＥＳＥＴの中心周波数点のオフセットならびにＢＷＰおよび共通ＣＯＲＥＳＥＴの帯域幅を端末に示す。具体的インジケーションコンテンツは、表１に示されるように、チャネルの数、オフセット方向（左または右）インジケーション、および帯域幅を含む。チャネルの数は、ＢＷＰまたは共通ＣＯＲＥＳＥＴの中心周波数点が位置する周波数ドメイン場所とＳＳブロックの中心周波数点が位置する周波数ドメイン場所との間のチャネルラスタの数における差異である。オフセット（左または右）方向インジケーションは、ＳＳブロックの中心周波数点に対するＢＷＰまたは共通ＣＯＲＥＳＥＴの中心周波数点のオフセット方向が、右または左であるかどうかを示し、オフセット方向は、ＢＷＰまたは共通ＣＯＲＥＳＥＴの中心周波数点がＳＳブロックの中心周波数点より高いとき、右であり、オフセット方向は、ＢＷＰまたは共通ＣＯＲＥＳＥＴの中心周波数点がＳＳブロックの中心周波数点より低いとき、左である。
【００８７】
【表１】
2020533833.tif 000003
【００８８】
ある実施形態では、基地局は、物理ブロードキャストチャネルまたはＲＲＣ専用シグナリングを使用することによって、ＳＳブロックの中心周波数点に対するＢＷＰおよび共通ＣＯＲＥＳＥＴの中心周波数点のオフセットおよびオフセット方向（左または右）インジケーションならびにＢＷＰおよび共通ＣＯＲＥＳＥＴの帯域幅等の情報を端末に示してもよい、または基地局は、物理ブロードキャストチャネルを使用することによって、上記の情報の一部を端末に示し、ＲＲＣ専用シグナリングを使用することによって、上記の情報の残りの部分を端末に示す。
【００８９】
ある実施形態では、ＲＲＣ専用シグナリングはまた、隣接する基地局によって端末に送信されてもよい。
【００９０】
チャネルの数を使用して、ＳＳブロックの中心周波数点に対するＢＷＰまたは共通ＣＯＲＥＳＥＴの中心周波数点のオフセットを示すことは、単に、実施例である。ＢＷＰまたは共通ＣＯＲＥＳＥＴの中心周波数点とＳＳブロックの中心周波数点との間の周波数差異が、チャネルラスタの整数倍数ではない場合、ＳＳブロックの中心周波数点に対するＢＷＰまたは共通ＣＯＲＥＳＥＴの中心周波数点のオフセットは、チャネルの数のみによって正確に表されることができず、この場合、他の方法が、要求される。
【００９１】
ＳＳブロックの中心周波数点に対するＢＷＰまたは共通ＣＯＲＥＳＥＴの中心周波数点のオフセットはまた、ＳＳブロックの中心周波数点に対するＢＷＰまたは共通ＣＯＲＥＳＥＴの中心周波数点の相対的サブキャリア番号によって表されてもよく、相対的サブキャリア番号は、ＢＷＰまたは共通ＣＯＲＥＳＥＴの中心周波数点が位置する周波数ドメイン場所とＳＳブロックの中心周波数点が位置する周波数ドメイン場所との間のサブキャリアの数における差異である。オフセット方向は、ＢＷＰまたは共通ＣＯＲＥＳＥＴの中心周波数点がＳＳブロックの中心周波数点より高いとき、右であり、オフセット方向は、ＢＷＰまたは共通ＣＯＲＥＳＥＴの中心周波数点がＳＳブロックの中心周波数点より低いとき、左である。ＢＷＰの中心周波数点の周波数が、ＳＳブロックの中心周波数点の周波数より高く（サブキャリアは、低から高周波数に昇順で付番される）、ＢＷＰの中心周波数点とＳＳブロックの中心周波数点との間の差異が、Ｋ個のサブキャリアである場合、ＳＳブロックの中心周波数点に対するＢＷＰの中心周波数点のオフセットは、相対的サブキャリア番号Ｋであり、オフセット方向は、右である。
【００９２】
別の実施例では、ＳＳブロックの中心周波数点に対するＢＷＰまたは共通ＣＯＲＥＳＥＴの中心周波数点のオフセットはまた、ＳＳブロックの中心周波数点に対するＢＷＰまたは共通ＣＯＲＥＳＥＴの中心周波数点の相対的ＰＲＢ番号によって表されてもよい。
【００９３】
別の実施例では、ＳＳブロックの中心周波数点に対するＢＷＰまたは共通ＣＯＲＥＳＥＴの中心周波数点のオフセットはまた、ＳＳブロックの中心周波数点に対するＢＷＰまたは共通ＣＯＲＥＳＥＴの中心周波数点の相対的ＰＲＢ番号および相対的ＰＲＢ番号に対応する周波数ドメイン場所に対するＢＷＰまたは共通ＣＯＲＥＳＥＴの中心周波数点の相対的サブキャリア番号によって表されてもよい。
【００９４】
別の実施例では、ＳＳブロックの中心周波数点に対するＢＷＰまたは共通ＣＯＲＥＳＥＴの中心周波数点のオフセットはまた、ＳＳブロックの中心周波数点に対するＢＷＰまたは共通ＣＯＲＥＳＥＴの中心周波数点のチャネルの数およびチャネルの数に対応する周波数ドメイン場所に対するＢＷＰまたは共通ＣＯＲＥＳＥＴの中心周波数点の相対的サブキャリア番号によって表されてもよい。
【００９５】
別の実施例では、ＳＳブロックの中心周波数点に対するＢＷＰまたは共通ＣＯＲＥＳＥＴの中心周波数点のオフセットはまた、ＳＳブロックの中心周波数点に対するＢＷＰまたは共通ＣＯＲＥＳＥＴの中心周波数点のチャネルの数およびチャネルの数に対応する周波数ドメイン場所に対するＢＷＰまたは共通ＣＯＲＥＳＥＴの中心周波数点の相対的ＰＲＢ番号によって表されてもよい。
【００９６】
別の実施例では、ＳＳブロックの中心周波数点に対するＢＷＰまたは共通ＣＯＲＥＳＥＴの中心周波数点のオフセットはまた、ＳＳブロックの中心周波数点に対するＢＷＰまたは共通ＣＯＲＥＳＥＴの中心周波数点のチャネルの数、チャネルの数に対応する周波数ドメイン場所に対するＢＷＰまたは共通ＣＯＲＥＳＥＴの中心周波数点の相対的ＰＲＢ番号、および相対的ＰＲＢ番号に対応する周波数ドメイン場所に対するＢＷＰまたは共通ＣＯＲＥＳＥＴの中心周波数点の相対的サブキャリア番号によって表されてもよい
【００９７】
第１および第２のリソースの帯域幅は、表１におけるインジケーション方法に限定されない。Ｎ１帯域幅はまた、事前に定義されてもよく、あるリソースの帯域幅は、ｌｏｇ２（Ｎ１）ビット情報のみによって表されてもよい。例えば、４つの帯域幅１００ＲＢ、５０ＲＢ、３０ＲＢ、および２０ＲＢが、事前に定義され、あるリソースの帯域幅は、２ビット情報のみによって表されてもよい。
【００９８】
ＢＷＰの帯域幅が、固定される、例えば、５０ＲＢである場合、基地局は、ＢＷＰの帯域幅を端末に示す必要がない。同様に、共通ＣＯＲＥＳＥＴの帯域幅が、固定される、例えば、２０ＲＢである場合、基地局は、共通ＣＯＲＥＳＥＴの帯域幅を端末に示す必要がない。言い換えると、基地局は、ＳＳブロックの中心周波数点に対するＢＷＰまたは共通ＣＯＲＥＳＥＴの中心周波数点のオフセットのみを端末に示す必要がある。
【００９９】
加えて、ＳＳブロックの中心周波数点に対するＢＷＰまたは共通ＣＯＲＥＳＥＴの中心周波数点のオフセットが、固定される場合、例えば、オフセットおよびオフセット方向（右または左）の両方が、固定される場合、基地局は、帯域幅のサイズのみを端末に示す必要があり、オフセットのみが、固定される場合、基地局は、オフセット方向ならびに帯域幅のサイズのみを示す必要がある。
【０１００】
加えて、ＢＷＰまたは共通ＣＯＲＥＳＥＴの場所はまた、ＳＳブロックの中心周波数点に対するＢＷＰまたは共通ＣＯＲＥＳＥＴの境界（例えば、左境界、すなわち、開始周波数ドメイン場所、または右境界、すなわち、終了周波数ドメイン場所）のオフセットによって示されてもよい。ＢＷＰまたは共通ＣＯＲＥＳＥＴの場所は、参照点からのＲＢオフセットの数によって表されてもよい。例えば、参照点からのゼロＲＢオフセットは、場所がＳＳブロックの中心周波数点と一致することを意味し、インジケーション方法は、ＳＳブロックの中心周波数点に対するＢＷＰまたは共通ＣＯＲＥＳＥＴの中心周波数点のオフセットを使用したインジケーション方法に類似する。
【０１０１】
ある実施形態では、ＳＳブロックの中心周波数点に対するＢＷＰまたは共通ＣＯＲＥＳＥＴの中心または境界（例えば、左境界、すなわち、開始周波数ドメイン場所、または右境界、すなわち、終了周波数ドメイン場所）のオフセットおよびＢＷＰまたは共通ＣＯＲＥＳＥＴの帯域幅は、１ビットオフセット方向（左または右）インジケーションおよびリソースインジケーション値（ＲＩＶ）を使用して示されてもよい。
【０１０２】
ＲＢの帯域幅は、ＳＳブロックによって採用されるサブキャリアインターバルに従って判定されてもよい、またはＰＢＣＨによって通知されるサブキャリアインターバルまたは残りの最小システム情報（ＲＭＳＩ）もしくはＲＲＣ専用シグナリングに従って判定されてもよい。１つのＲＢは、１２のサブキャリアを周波数ドメイン内に含有する。
【０１０３】
加えて、以下の２つの場合、すなわち、（１）第１のリソースは、ＰＤＳＣＨによって占有されるリソースであり、第２のリソースが、共通ＣＯＲＥＳＥＴである場合、および（２）第１のリソースが、共通ＣＯＲＥＳＥＴであり、第２のリソースが、ＰＤＳＣＨによって占有されるＢＷＰまたはリソースである場合における端末への基地局のインジケーション方法は、上記の実施形態に説明される方法に類似することに留意されたい。
【０１０４】
上記の実施形態では、参照点は、ＳＳブロックの中心周波数点を実施例として挙げることによって説明され、参照点が、ＮＲキャリアの中心または境界、ダウンリンクＳＳ帯域幅の中心または境界、またはＳＳブロックの境界であるとき、類似方法が、参照点に対するＢＷＰまたは共通ＣＯＲＥＳＥＴの中心周波数点のオフセットを示すために採用されてもよい。例えば、参照点が、ＳＳブロックの右境界であるとき、表２は、ＢＷＰまたは共通ＣＯＲＥＳＥＴの帯域幅および点ＳＳブロックの右境界周波数点に対するその中心周波数のオフセットを示す。
【０１０５】
【表２】
2020533833.tif 000004
【０１０６】
要するに、ＢＷＰまたは共通ＣＯＲＥＳＥＴの場所が、中心周波数点または境界のうちの１つであり、参照点が、ＮＲキャリアの中心または境界、ダウンリンクＳＳ帯域幅の中心または境界、もしくはＳＳブロックの中心または境界のうちの任意の１つであるとき、上記の実施形態における方法に類似する方法が、ＢＷＰまたは共通ＣＯＲＥＳＥＴの周波数ドメイン場所を示すために採用されてもよい。
【０１０７】
随意の実施形態２
【０１０８】
本随意の実施形態の説明では、第１のリソースの周波数ドメイン場所は、参照点に対する周波数ドメイン内のオフセットを使用して示され、第２のリソースの周波数ドメイン場所は、第１のリソースに対する周波数ドメイン内のオフセットを使用して示される。
【０１０９】
図４は、ＮＲキャリア内のＳＳブロック、ＰＤＳＣＨ、および共通ＣＯＲＥＳＥＴの周波数ドメイン場所を示し、ｋ１、ｋ２、およびｋ３は、それぞれ、ＳＳブロック、ＰＤＳＣＨ、および共通ＣＯＲＥＳＥＴの中心周波数点に対応するサブキャリア番号であり、基地局は、共通ＣＯＲＥＳＥＴ内で伝送されるＰＤＣＣＨによるＰＤＳＣＨによって占有されるリソースをスケジュールし得る。第１のリソースは、例えば、ＰＤＳＣＨによって占有されるリソースであり、第２のリソースは、例えば、共通ＣＯＲＥＳＥＴであり、参照点は、例えば、ＳＳブロックの中心である。本実施形態では、基地局は、端末に、ＳＳブロックの中心周波数点に対するＰＤＳＣＨの中心周波数点のオフセット、ＰＤＳＣＨの帯域幅、ＰＤＳＣＨの中心周波数点に対する共通ＣＯＲＥＳＥＴの中心周波数点のオフセット、および共通ＣＯＲＥＳＥＴの帯域幅を示し、具体的インジケーションコンテンツは、表３に示されるように、相対的サブキャリア番号、オフセット方向（左または右）インジケーション、および帯域幅を含む。
【０１１０】
ＳＳブロックの中心周波数点に対するＰＤＳＣＨの中心周波数点の相対的サブキャリア番号は、ＰＤＳＣＨの中心周波数点が位置する周波数ドメイン場所とＳＳブロックの中心周波数点が位置する周波数ドメイン場所との間のサブキャリアの数における差異を指す。オフセット方向は、ＰＤＳＣＨの中心周波数点がＳＳブロックの中心周波数点より高いとき、右であり、オフセット方向は、ＰＤＳＣＨの中心周波数点がＳＳブロックの中心周波数点より低いとき、左である。
【０１１１】
ＰＤＳＣＨの中心周波数点に対する共通ＣＯＲＥＳＥＴの中心周波数点の相対的サブキャリア番号は、共通ＣＯＲＥＳＥＴの中心周波数点が位置する周波数ドメイン場所とＰＤＳＣＨの中心周波数点が位置する周波数ドメイン場所との間のサブキャリアの数における差異を指す。オフセット方向は、共通ＣＯＲＥＳＥＴの中心周波数点がＰＤＳＣＨの中心周波数点より高いとき、右であり、オフセット方向は、共通ＣＯＲＥＳＥＴの中心周波数点がＰＤＳＣＨの中心周波数点より低いとき、左である。
【０１１２】
【表３】
2020533833.tif 000005
【０１１３】
第１のリソースが、共通ＣＯＲＥＳＥＴであり、第２のリソースが、ＰＤＳＣＨによって占有されるリソースである場合、類似方法が、示すために採用されてもよい。具体的には、基地局は、端末に、ＳＳブロックの中心周波数点に対する共通ＣＯＲＥＳＥＴの中心周波数点のオフセット、共通ＣＯＲＥＳＥＴの帯域幅、共通ＣＯＲＥＳＥＴの中心周波数点に対するＰＤＳＣＨの中心周波数点のオフセット、およびＰＤＳＣＨの帯域幅を示し、具体的インジケーションコンテンツは、表４に示されるように、相対的サブキャリア番号、オフセット方向（左または右）インジケーション、および帯域幅を含む。ＰＤＳＣＨの中心周波数点が共通ＣＯＲＥＳＥＴの中心周波数点より低いため、共通ＣＯＲＥＳＥＴの中心周波数点に対するＰＤＳＣＨの中心周波数点のオフセットが、示されるとき、オフセット方向インジケーションは、０である、すなわち、共通ＣＯＲＥＳＥＴの中心周波数点に対するＰＤＳＣＨの中心周波数点のオフセット方向は、左であることに留意されたい。
【０１１４】
【表４】
2020533833.tif 000006
【０１１５】
ＰＤＳＣＨの帯域幅が、固定される、例えば、５０ＲＢである場合、基地局は、ＰＤＳＣＨの帯域幅を端末に示す必要がない。同様に、共通ＣＯＲＥＳＥＴの帯域幅が、固定される、例えば、２０ＲＢである場合、基地局は、共通ＣＯＲＥＳＥＴの帯域幅を端末に示す必要がない。
【０１１６】
基地局は、端末に、ＰＢＣＨまたはＲＲＣ専用シグナリングを使用して、ＰＤＳＣＨおよび共通ＣＯＲＥＳＥＴの周波数ドメイン場所を通知する、またはＰＢＣＨを使用して、ＰＤＳＣＨによって占有されるリソースの周波数ドメイン場所を通知し、ＲＲＣ専用シグナリングを使用して、共通ＣＯＲＥＳＥＴの周波数ドメイン場所を通知する、またはＰＢＣＨを使用して、共通ＣＯＲＥＳＥＴの周波数ドメイン場所を通知し、ＲＲＣ専用シグナリングを使用して、ＰＤＳＣＨの専用リソースの周波数ドメイン場所を通知してもよい。ＲＲＣ専用シグナリングはまた、隣接する基地局によって端末に送信されてもよい。
【０１１７】
随意の実施形態３
【０１１８】
本随意の実施形態の説明では、第１のリソースの周波数ドメイン場所は、参照点に対する周波数ドメイン内のオフセットを使用して示され、第２のタイプのノードは、事前に定義されたルールに従って、第２のリソースの周波数ドメイン場所を計算する。
【０１１９】
図５は、ＮＲキャリア内のＳＳブロック、ＢＷＰ、および共通ＣＯＲＥＳＥＴの周波数ドメイン場所を示す。第１のリソースは、例えば、ＢＷＰであり、第２のリソースは、例えば、共通ＣＯＲＥＳＥＴであり、参照点は、例えば、ＳＳブロックの中心である。本実施形態では、基地局は、端末に、ＳＳブロックの中心周波数点に対するＢＷＰの中心周波数点のオフセット、ＢＷＰの帯域幅、および共通ＣＯＲＥＳＥＴの帯域幅を示し、具体的インジケーションコンテンツは、表５に示されるように、相対的サブキャリア番号、オフセット方向（左または右）インジケーション、および帯域幅を含み、「−」は、用語が存在しないことを意味する。
【０１２０】
ＳＳブロックの中心周波数点に対するＢＷＰの中心周波数点の相対的サブキャリア番号は、ＢＷＰの中心周波数点が位置する周波数ドメイン場所とＳＳブロックの中心周波数点が位置する周波数ドメイン場所との間のサブキャリアの数における差異を指す。オフセット方向は、ＢＷＰの中心周波数点がＳＳブロックの中心周波数点より高いとき、右であり、オフセット方向は、ＢＷＰの中心周波数点がＳＳブロックの中心周波数点より低いとき、左である。
【０１２１】
端末は、事前に定義されたルールに従って、ＢＷＰの中心周波数点に対する共通ＣＯＲＥＳＥＴの中心周波数点のオフセットを計算する。
【０１２２】
事前に定義されたルールは、１つ以上の要因と参照点またはＢＷＰの中心周波数点に対する共通ＣＯＲＥＳＥＴの中心周波数点のオフセットとの間の関係を定義し、要因は、ＳＳブロックインデックス、物理セル識別子、システムフレーム番号、または帯域情報のうちの少なくとも１つを含む。
【０１２３】
事前に定義されたルールは、デフォルト周波数ドメインオフセット、例えば、４ＲＢのオフセットであってもよい、またはタイミング情報、物理セルＩＤ、または帯域情報、具体的には、例えば、ＳＳブロックインデックス、物理セルＩＤ、ＳＦＮ、帯域範囲等ののうちの１つ以上に従って、事前に定義されてもよい。ＳＳブロックインデックスは、端末がダウンリンク同期を完了するときにＳＳが位置するＳＳブロックのインデックスであり、ＳＮＦは、端末がダウンリンク同期を完了するときのＳＳが位置する無線フレームの数である。帯域範囲は、事前に分割され、各帯域範囲は、一意の帯域範囲識別子に対応する。事前に定義されたルールを判定するための原理は、異なるＳＳブロックインデックス（グループ）、物理セルＩＤ（グループ）、ＳＦＮ（グループ）、および帯域範囲（グループ）に従って計算される、ＢＷＰの中心周波数点に対する共通ＣＯＲＥＳＥＴの中心周波数点のオフセットが、情報が共通ＣＯＲＥＳＥＴを使用して伝送されるとき、隣接するセル間の相互干渉を低減させるように、可能な限り異なるべきであるというものである。
【０１２４】
例えば、事前に定義されたルールは、ＳＳブロックインデックスＮ２が、共通ＣＯＲＥＳＥＴの中心周波数点がＢＷＰの中心周波数点に対してＮ２  ＲＢオフセットされることに対応することであってもよい。
【０１２５】
別の実施例では、事前に定義されたルールは、ＳＳブロックインデックスＮ２が、共通ＣＯＲＥＳＥＴの中心周波数点がＢＷＰの中心周波数点に対してＫ＊ｆｌｏｏｒ（Ｎ２／Ｍ）ＲＢ（ｆｌｏｏｒは、切り捨てを示す）オフセットされることに対応することであってもよい。
【０１２６】
別の実施例では、事前に定義されたルールは、ＳＳブロックインデックスＮ２が、共通ＣＯＲＥＳＥＴの中心周波数点がＢＷＰの中心周波数点に対してＫ＊ｍｏｄ（Ｎ２、Ｍ）ＲＢ（ｍｏｄは、モジュロ演算である）オフセットされることに対応することであってもよい。
【０１２７】
別の実施例では、事前に定義されたルールはまた、物理セルＩＤ、ＳＦＮ、または帯域範囲に従って判定されてもよい。
【０１２８】
例えば、事前に定義されたルールは、Ｋ＊ｆｌｏｏｒ（Ｘ／Ｍ）ＲＢまたはＫ＊ｍｏｄ（Ｘ、Ｍ）ＲＢのオフセットであり、Ｘは、セルＩＤ、ＳＦＮ、または帯域範囲識別子であり得る。
【０１２９】
事前に定義されたルールはまた、上記の方法の組み合わせ、例えば、Ｋ＊ｆｌｏｏｒ（Ｎ２／Ｍ）＋Ｌ＊ｍｏｄ（セルＩＤ、Ｍ）ＲＢのオフセットであってもよい。
【０１３０】
上記の式では、Ｎ２およびＸは、非負の整数であり、ＫおよびＬは、正の整数であり、Ｍは、１を上回る整数である。
【０１３１】
例えば、実施例として、端末がダウンリンク同期において成功するとき、２であるＳＳが位置するＳＳブロックのインデックスを使用すると、ＳＳブロックインデックスＮ２が、共通ＣＯＲＥＳＥＴの中心周波数点が事前に定義されたルールに従ってＢＷＰの中心周波数点に対してＮ２  ＲＢオフセットされることに対応するとき、共通ＣＯＲＥＳＥＴの中心周波数点が、ＢＷＰの中心周波数点に対して２ＲＢオフセットされ、次いで、共通ＣＯＲＥＳＥＴの周波数ドメイン場所が、１であるオフセット方向（左または右）インジケーションおよび２０ＲＢである共通ＣＯＲＥＳＥＴの帯域幅に従って把握され得る。
【０１３２】
ＲＢの単位における上記のオフセットは、単に、実施例であり、オフセットは、実際には、ＲＢに限定されず、周波数、例えば、Ｙ  ｋＨｚ／ＭＨｚ、ＲＢグループ、サブキャリア、サブキャリアグループ、チャネルラスタ、チャネルラスタグループ等を測定し得る、任意の単位におけるものであってもよい。
【０１３３】
加えて、リソースを基地局によって端末に示すための方法は、以下の場合、すなわち、（１）第１のリソースが、共通ＣＯＲＥＳＥＴであり、第２のリソースが、ＢＷＰである場合、（２）第１のリソースが、共通ＣＯＲＥＳＥＴであり、第２のリソースが、ＰＤＳＣＨによって占有されるリソースである場合、および３）第１のリソースが、ＰＤＳＣＨによって占有されるリソースであり、第２のリソースが、共通ＣＯＲＥＳＥＴである場合、上記の実施形態に説明される方法に類似する。本旨は、第１のリソースが、参照点インジケーションに対する周波数ドメイン内のオフセットであり、第２のリソースは、第１のリソースに対する周波数ドメイン内のオフセットであり、事前に定義されたルールに従って、端末によって計算されることである。
【０１３４】
【表５】
2020533833.tif 000007
【０１３５】
随意の実施形態４
【０１３６】
本随意の実施形態の説明では、ＢＷＰの周波数ドメインは、ＢＷＰのインデックスを示すことによって示される。
【０１３７】
基地局は、システム帯域幅（すなわち、物理キャリアの帯域幅）をいくつかのＢＷＰに均一に分割し、図６に示されるように、基地局は、物理的帯域幅を４ＢＷＰに分割し、これらのＢＷＰのインデックスは、それぞれ、０、１、２、および３である。端末が、物理キャリアの中心周波数点およびシステム帯域幅内のＢＷＰの分割様式をすでに把握していると仮定すると、基地局は、直接、２ビット情報を使用して、ＢＷＰのインデックスを端末に示してもよい。例えば、基地局は、直接、端末に、ＢＷＰのインデックスが３であることを示し、端末は、物理キャリアの中心周波数および帯域幅ならびにＢＷＰの分割様式に従って、ＢＷＰ３の周波数ドメイン場所を入手し得、共通ＣＯＲＥＳＥＴ内で伝送される制御情報によってスケジュールされるリソースがＢＷＰ３に位置することを把握し得る。ＢＷＰ３の帯域幅および参照点に対するオフセットを示す様式と比較して、上記の様式は、ＢＷＰ３の周波数ドメイン場所を示すためのオーバーヘッドを大幅に低減させる利点を有する。
【０１３８】
加えて、基地局は、上記の実施形態に説明される方法を通して、共通ＣＯＲＥＳＥＴの周波数ドメイン場所を示してもよく、詳細は、本明細書に説明されないであろう。
【０１３９】
基地局は、ＲＲＣ専用シグナリングを使用して、ＢＷＰインデックスおよび共通ＣＯＲＥＳＥＴの周波数ドメイン場所を端末に示す、またはＰＢＣＨを使用して、ＢＷＰインデックスを通知し、ＲＲＣ専用シグナリングを使用して、共通ＣＯＲＥＳＥＴの周波数ドメイン場所を通知する、またはＰＢＣＨを使用して、共通ＣＯＲＥＳＥＴの周波数ドメイン場所を通知し、ＲＲＣ専用シグナリングを使用して、ＢＷＰインデックスを通知してもよい。
【０１４０】
随意の実施形態５
【０１４１】
本随意の実施形態の説明では、リソースの周波数ドメイン場所は、構成されるＳＳブロックの周波数ドメイン場所インデックスを示し、構成されるＳＳブロックの周波数ドメイン場所に対する共通ＣＯＲＥＳＥＴのオフセットを示すことによって示される。
【０１４２】
基地局は、１つ以上のＳＳブロックをシステム帯域幅内に構成し、各ＳＳブロックの周波数ドメイン場所は、インデックスに対応する。図７に示されるように、基地局は、２つのＳＳブロックをシステム帯域幅内に構成し、ＳＳブロックのインデックスは、それぞれ、０および１である。端末が、各ＳＳブロックの周波数ドメイン場所および２つのＳＳブロックがそれぞれ位置するＢＷＰならびにＢＷＰの帯域幅を把握していると仮定して、基地局は、直接、１ビット情報を使用して、構成されるＳＳブロックの周波数ドメイン場所インデックスを端末に示し、端末は、ＳＳブロックの構成情報に従って、構成されるＳＳブロックの周波数ドメイン場所を入手し得、共通ＣＯＲＥＳＥＴ内で伝送される制御情報によってスケジュールされるリソースがＢＷＰ２に位置することを把握し得る。ＢＷＰ２の帯域幅および参照点に対するオフセットを示す様式と比較して、上記の様式は、ＢＷＰ２の周波数ドメイン場所を示すためのオーバーヘッドを大幅に低減させる利点を有する。
【０１４３】
基地局は、次いで、端末が共通ＣＯＲＥＳＥＴリソースの周波数ドメイン場所を入手することを可能にするように、構成されるＳＳブロックの中心周波数点または境界に対する共通ＣＯＲＥＳＥＴの中心周波数点または境界のオフセットならびに共通ＣＯＲＥＳＥＴの帯域幅を端末に示す。端末は、共通ＣＯＲＥＳＥＴによってスケジュールされるリソースが位置するＢＷＰ（すなわち、ＢＷＰ２）および他の方法を使用することによって入手された共通ＣＯＲＥＳＥＴリソースの時間ドメイン場所に従って、共通ＣＯＲＥＳＥＴ上で搬送される情報を正常に入手し得る。
【０１４４】
随意の実施形態６
【０１４５】
本随意の実施形態は、共通ＣＯＲＥＳＥＴリソースの帯域幅とＢＷＰまたはＰＤＳＣＨのリソースの帯域幅との間の関係を使用して、共通ＣＯＲＥＳＥＴ、ＢＷＰ、およびＰＤＳＣＨの帯域幅をともに示すための方法を説明する。
【０１４６】
第１のリソースの帯域幅と第２のリソースの帯域幅との間の関係が、固定される場合、第１および第２のリソースの帯域幅は、ともに示されてもよい。複数の固定関係が第１のリソースの帯域幅と第２のリソースの帯域幅との間に存在すると仮定すると、リソースのうちの１つの帯域幅ならびに２つのリソースの帯域幅間の関係が、示され得る。
【０１４７】
例えば、第１のリソースが、ＢＷＰであり、第２のリソースが、共通ＣＯＲＥＳＥＴである場合、第１のリソースの帯域幅と第２のリソースの帯域幅との間には、２つの関係が存在する、すなわち、（１）第２のリソースの帯域幅は、第１のリソースの帯域幅と同一であり、（２）第２のリソースの帯域幅は、第１のリソースの帯域幅の半分である。基地局は、第１のリソースの帯域幅ならびに第１のリソースの帯域幅と第２のリソースの帯域幅との間の関係（すなわち、上記に説明される２つの関係のうちの１つ）のみを示す必要があり、それぞれ、２つのリソースの帯域幅を示す必要がなく、それによって、特に、帯域幅が比較的に大きいとき、示すためのリソースオーバーヘッドを低減させる。
【０１４８】
随意の実施形態７
【０１４９】
実施例として、ＢＷＰの周波数ドメイン場所のインジケーションを使用して、本随意の実施形態は、リソースの周波数ドメイン場所を示すための具体的実装方法を説明する。
【０１５０】
参照点に対するＢＷＰの境界または中心のオフセットおよびＢＷＰの帯域幅は、１ビットオフセット方向（左または右）インジケーションおよびＲＩＶを使用して、示されてもよく、これは、以下の場合を含む。
【０１５１】
（１）ＢＷＰの帯域幅が、固定される、すなわち、基地局および端末が、ＢＷＰの帯域幅を事前に把握しており、ＲＩＶによって占有されるビットの数は、参照点に対するＢＷＰの左境界または右境界もしくは中心の最大オフセットによって判定される、すなわち、ＲＩＶによって占有されるビットの数は、最大オフセットを表すために要求されるビットの数によって判定され、ＲＩＶの値は、参照点に対するＢＷＰの左境界または右境界もしくは中心のオフセットと等しい。例えば、最大オフセットは、３１ＲＢであり、参照点に対するＢＷＰの中心のオフセットは、１２ＲＢであり、少なくとも５ビット情報が、最大オフセットを表すために要求されるため、ＲＩＶによって占有されるビットの数は、５であり、ＲＩＶは、１２と等しく、０１１００として２進数において表される。
【０１５２】
（２）ＢＷＰの帯域幅は、固定されておらず、参照点は、ＢＷＰ外にあり、したがって、インジケーション方法は、以下のようになる。すなわち、左境界およびＢＷＰの帯域幅は、ＢＷＰが参照点の右に位置するときに示される一方、右境界およびＢＷＰの帯域幅は、ＢＷＰが参照点の左に位置するときに示される。具体的には、参照点に対するＢＷＰの境界の最大オフセットは、物理キャリアの帯域幅または固定値であり、基地局は、参照点に対するＢＷＰの境界のオフセットおよびＢＷＰの帯域幅に従って、ＲＩＶ値を判定し、ＲＩＶ値を端末に送信し、端末は、次いで、受信されたＲＩＶ値に従って、参照点に対するＢＷＰの境界のオフセットおよびＢＷＰの帯域幅を計算し、入手されたオフセット方向（左または右）インジケーションに従って、ＢＷＰの境界場所および帯域幅を入手する。最大オフセットが、物理キャリアの帯域幅であり、Ｎ個のＲＢによって表されると仮定される。Ｌは、ＢＷＰの帯域幅がＬ個のＲＢであることを示し、Ｓは、参照点に対するＢＷＰの境界のオフセットがＳ個のＲＢであり、ＢＷＰの左境界が図８に示されるように参照点の右に位置し、ＢＷＰの右境界が図９に示されるように参照点の左に位置することを示す。ＲＩＶによって占有されるビットの数は、
【数１】
2020533833.tif 000008
であり、ＲＩＶの値は、以下のようになる。
【数２】
2020533833.tif 000009
である場合、ＲＩＶ＝Ｎ（Ｌ−１）＋Ｓであり、（式１）
そうでなければ、ＲＩＶ＝Ｎ（Ｎ−Ｌ＋１）＋Ｎ−１−Ｓである。（式２）
【０１５３】
端末は、ＲＩＶを受信後、最初に、
【数３】
2020533833.tif 000010
の値を計算する。
【０１５４】
式１に関して、
【数４】
2020533833.tif 000011
である。
【０１５５】
式２に関して、
【数５】
2020533833.tif 000012
である。
【０１５６】
％は、剰余演算を示す。Ｌ＋Ｓ≦Ｎである（そうでなければ、ＢＷＰは、物理キャリアの帯域幅の範囲を超え得る）ため、式１に関して、
【数６】
2020533833.tif 000013
であり、式２に関して、
【数７】
2020533833.tif 000014
である。したがって、端末は、
【数８】
2020533833.tif 000015
の値とＮの大きさとの間の関係に従って、ＲＩＶを計算するために採用される式（式１または式２のうちの１つ）を把握し得る。
【０１５７】
式１が、採用される場合、
【数９】
2020533833.tif 000016
およびＳ＝ＲＩＶ％Ｎであり、式２が、採用される場合、
【数１０】
2020533833.tif 000017
およびＳ＝Ｎ−１−ＲＩＶ％Ｎである。端末は、ＳおよびＬの値を入手する、すなわち、端末は、参照点に対するＢＷＰの境界のオフセットおよびＢＷＰの帯域幅を入手し、オフセット方向（左または右）インジケーションを用いて、端末は、左境界または右境界であるかどうかを判定し、それによって、ＢＷＰの周波数ドメイン場所、すなわち、ＢＷＰの境界場所および帯域幅を入手する。
【０１５８】
（３）ＢＷＰの帯域幅が、固定されておらず、ＢＷＰの中心周波数点場所および帯域幅のインジケーションは、参照点に対するＢＷＰの中心周波数点のオフセット、オフセット方向（左または右）インジケーション、およびＢＷＰの帯域幅を含む。具体的方法は、以下の通りである。すなわち、参照点に対するＢＷＰの中心周波数点の最大オフセットＮが、プロトコル内で事前に判定され、基地局は、参照点に対するＢＷＰの中心周波数点のオフセットおよびＢＷＰの帯域幅に従って、ＲＩＶの値を判定し、端末は、ＲＩＶの受信された値に従って、参照点に対するＢＷＰの中心周波数点のオフセットおよびＢＷＰの帯域幅を計算し、入手されたオフセット方向（左または右）インジケーションに従って、ＢＷＰの中心周波数点場所および帯域幅を入手する。最大オフセットが、物理キャリアの帯域幅であると仮定すると、Ｎは、物理キャリアの帯域幅が、Ｎ個のＲＢであることを示し、２Ｌは、ＢＷＰの帯域幅が２Ｌ個のＲＢであり（すなわち、帯域幅は、偶数のＲＢである）、すなわち、ＢＷＰの帯域幅の半分がＬ個のＲＢであることを示し、Ｓは、参照点に対するＢＷＰの中心周波数点のオフセットがＳ個のＲＢであり、ＢＷＰの中心周波数点が図１０に示されるように参照点の右に位置し、ＢＷＰの中心周波数点が図１１に示されるように参照点の左に位置することを示す。ＲＩＶによって占有されるビットの数は、
【数１１】
2020533833.tif 000018
であり、ＲＩＶの値は、以下のようになる。
ＲＩＶ＝Ｎ（Ｌ−１）＋Ｓ（式５）
【０１５９】
端末は、ＲＩＶを受信後、ＬおよびＳの値、すなわち、
【数１２】
2020533833.tif 000019
およびＳ＝ＲＩＶ％Ｎを計算する。したがって、端末は、ＢＷＰの帯域幅
【数１３】
2020533833.tif 000020
およびオフセットＳ＝ＲＩＶ％Ｎを入手する。端末は、Ｓおよび２Ｌの値を入手する、すなわち、端末は、参照点に対するＢＷＰの中心周波数点のオフセットおよびＢＷＰの帯域幅を入手し、それによって、ＢＷＰの周波数ドメイン場所を入手する。
【０１６０】
実装の際、対応する方法が、実践的条件に従って選択される。
【０１６１】
上記の実施形態の全てにおいて、基地局はまた、端末が共通ＣＯＲＥＳＥＴ内で伝送される情報を迅速に入手することを可能にするように、共通ＣＯＲＥＳＥＴの時間ドメイン場所を端末に示す必要がある。共通ＣＯＲＥＳＥＴの時間ドメイン場所は、他の方法で示されてもよい。例えば、共通ＣＯＲＥＳＥＴが、周期的に送信される場合、送信周期、周期の開始場所が位置する、無線フレーム、および共通ＣＯＲＥＳＥＴの開始場所、ならびに各送信周期内の連続直交周波数分割多重化（ＯＦＤＭ）シンボルの数が、示されてもよい。共通ＣＯＲＥＳＥＴが、周期的に送信されない場合、ある参照点に対する共通ＣＯＲＥＳＥＴの時間ドメインオフセット（例えば、ＯＦＤＭシンボルの遅延）および連続ＯＦＤＭシンボルの数が、示されてもよい。
【０１６２】
本実施形態は、リソース場所を示すための方法を提供する。本方法は、以下のステップ、すなわち、第１のタイプのノードがリソースの周波数ドメイン場所を第２のタイプのノードに示すことを含み、これは、第１のタイプのノードの周波数ドメイン場所を示すことまたは第２のタイプのノードの周波数ドメイン場所を示すことのうちの少なくとも１つことを含む。第１のリソースは、ＢＷＰまたはＰＤＳＣＨによって占有されるリソースを指し、第２のリソースは、共通ＣＯＲＥＳＥＴのリソースを指す。別の実施例では、第１のリソースは、共通ＣＯＲＥＳＥＴのリソースを指し、第２のリソースは、ＢＷＰまたはＰＤＳＣＨによって占有されるリソースを指し、したがって、基地局が、ＢＷＰ、ＰＤＳＣＨ、および共通ＣＯＲＥＳＥＴのリソース場所を端末に示し、基地局が、ＢＷＰ、ＰＤＳＣＨ、および共通ＣＯＲＥＳＥＴのリソース場所を示すことができないという関連技術における問題を解決することを可能にする。加えて、第２のリソースの周波数ドメイン場所は、事前に定義されたルールに従って計算され、インジケーションオーバーヘッドを低減させ、情報がある程度まで示されるリソースを使用して伝送されるときの隣接するセル間の相互干渉を低減させる。加えて、リソース帯域幅をともに示すための方法もまた、リソースインジケーションオーバーヘッドを低減させ得る。
【０１６３】
矛盾しない場合、種々の実施形態の特徴は、相互に組み合わせられてもよい。各実施形態は、単に、本願の最適実施形態である。
【０１６４】
前述の実施形態の説明から、上記に説明される実施形態における方法が、ソフトウェアに加え、必要な汎用ハードウェアプラットフォームによって実装されてもよい、または、当然ながら、ハードウェアによって実装されてもよいことが、当業者に明白となるであろう。しかしながら、多くの場合、前者が、好ましい実装モードである。本理解に基づいて、実質的に、または部分的に、関連技術に寄与する、本ソリューションの技術的ソリューションは、ソフトウェア製品の形態で具現化されてもよい。コンピュータソフトウェア製品は、記憶媒体（ランダムアクセスメモリ（ＲＡＭ）／読取専用メモリ（ＲＯＭ）、磁気ディスク、または光ディスク等）内に記憶され、端末デバイス（携帯電話、コンピュータ、サーバ、ネットワークデバイス、または同等物であり得る）が、本ソリューションの各実施形態による方法を実行することを可能にするためのいくつかの命令を含む。
【０１６５】
本ソリューションの実施形態はさらに、リソース場所を受信するためのデバイスを提供する。本デバイスは、上記に説明される方法実施形態を実装するために使用される。説明された内容は、繰り返されないであろう。下記に使用されるように、用語「モジュール」は、所定の機能を実装することが可能なソフトウェア、ハードウェア、またはそれらの組み合わせであってもよい。以下の実施形態に説明される装置は、好ましくは、ソフトウェアによって実装されるが、ハードウェアまたはソフトウェアおよびハードウェアの組み合わせによる実装もまた、可能性として考えられ、想起される。
【０１６６】
図１２は、本ソリューションのある実施形態による、リソース場所を示すためのデバイスのブロック図である。本デバイスは、基地局に適用され、図１２に示されるように、本デバイスは、送信モジュール１２２を含む。
【０１６７】
送信モジュール１２２は、リソース場所情報を第２のタイプのノードに送信するように構成され、リソース場所情報は、少なくとも、リソースの周波数ドメイン場所を示す。
【０１６８】
周波数ドメイン場所は、第１のリソースの周波数ドメイン場所または第２のリソースの周波数ドメイン場所のうちの少なくとも１つを含み、第１のリソースまたは第２のリソースは、ＢＷＰ、ＰＤＳＣＨによって占有されるリソース、または共通ＣＯＲＥＳＥＴのうちの少なくとも１つを含む。
【０１６９】
図１２に示されるデバイスを通して、基地局がＢＷＰ、ＰＤＳＣＨ、および共通ＣＯＲＥＳＥＴのリソース場所を示すことができない、関連技術における問題は、解決され、リソース場所の効果的インジケーションの技術的効果を実装する。
【０１７０】
ある実施形態では、第１のリソースの周波数ドメイン場所は、構成されるＳＳブロックの周波数ドメイン場所であり、第２のリソースの周波数ドメイン場所は、共通ＣＯＲＥＳＥＴの周波数ドメイン場所である。
【０１７１】
ある実施形態では、第１のリソースの上記の周波数ドメイン場所は、構成されるＳＳブロックの周波数ドメイン場所であり、第２のリソースの周波数ドメイン場所は、共通ＣＯＲＥＳＥＴの周波数ドメイン場所である。
【０１７２】
ある実施形態では、上記の共通ＣＯＲＥＳＥＴは、ＢＷＰまたはＰＤＳＣＨによって占有されるリソース内に含まれる、共通ＣＯＲＥＳＥＴは、ＢＷＰまたはＰＤＳＣＨによって占有されるリソースと部分的に重複する、共通ＣＯＲＥＳＥＴは、ＢＷＰまたはＰＤＳＣＨによって占有されるリソースと重複しない、または共通ＣＯＲＥＳＥＴは、ＢＷＰまたはＰＤＳＣＨによって占有されるリソースとの固定関係を有していない。
【０１７３】
ある実施形態では、上記の共通ＣＯＲＥＳＥＴ内で伝送される制御情報によってスケジュールされるリソースは、ＢＷＰまたはＰＤＳＣＨによって占有されるリソース内に位置する。
【０１７４】
ある実施形態では、上記の第１のタイプのノードは、以下の様式、すなわち、
第１のリソースから参照点までの周波数ドメインオフセットを示すこと、または第１のリソースから参照点までの周波数ドメインオフセットおよび第１のリソースの帯域幅を示すこと、
において、第１のリソースの周波数ドメイン場所を第２のタイプのノードに示す。
【０１７５】
上記の参照点は、物理キャリア、ダウンリンクＳＳ帯域幅、またはダウンリンクＳＳブロックのうちの任意の１つの中心または境界を含むことに留意されたい。
【０１７６】
ある実施形態では、上記の第１のタイプのノードは、以下の様式、すなわち、
【０１７７】
第２のリソースから参照点または第１のリソースまでの周波数ドメインオフセットを示すことまたは第２のリソースから参照点または第１のリソースまでの周波数ドメインオフセットおよび第２のリソースの帯域幅または第２のリソースの帯域幅と第１のリソースの帯域幅との間の関係を示すこと、
において、第１のリソースの周波数ドメイン場所を第２のタイプのノードに示す。
【０１７８】
上記の参照点は、物理キャリア、ダウンリンクＳＳ帯域幅、またはダウンリンクＳＳブロックのうちの任意の１つの中心または境界を含むことに留意されたい。
【０１７９】
ある実施形態では、ＢＷＰの周波数ドメインを示すことは、ＢＷＰのインデックスを示すことを含む。
【０１８０】
ある実施形態では、第１のリソースの周波数ドメイン場所は、以下の様式において、構成されるＳＳブロックの周波数ドメイン場所であると判定される、すなわち、第１のタイプのノードは、システム帯域幅内の１つ以上のＳＳブロックを構成し、各ＳＳブロックの周波数ドメイン場所は、インデックスに対応し、第１のリソースの周波数ドメイン場所は、１つ以上のＳＳブロックの周波数ドメイン場所のうちの１つとして構成される。
【０１８１】
ある実施形態では、構成されるＳＳブロックの周波数ドメイン場所を示すことは、構成されるＳＳブロックの周波数ドメイン場所インデックスを示すことを含む。
【０１８２】
ある実施形態では、第１のタイプのノードがリソースの周波数ドメイン場所を第２のタイプのノードに示すステップは、第１のタイプのノードによって、ＰＢＣＨに関するリソース場所情報を伝送すること、第１のタイプのノードによって、ＲＲＣ専用シグナリングに関するリソース場所情報を伝送すること、第１のタイプのノードによって、第１のリソースの周波数ドメイン場所情報をＰＢＣＨ上で伝送し、第２のリソースの周波数ドメイン場所情報をＲＲＣ専用シグナリング上で伝送すること、または第１のリソースの周波数ドメイン場所情報および／または第２のリソースの周波数ドメイン場所情報の一部をＰＢＣＨ上で伝送し、第２のリソースの周波数ドメイン場所情報の残りの部分をＲＲＣシグナリング上で伝送することのうちの１つを含む。
【０１８３】
ある実施形態では、上記のＲＲＣ専用シグナリングは、第１のタイプのノードに隣接するノードによって第２のタイプのノードに送信される。
【０１８４】
ある実施形態では、周波数ドメイン内の上記のオフセットは、オフセットまたはオフセット方向（左または右）インジケーションのうちの少なくとも１つを含む。
【０１８５】
ある実施形態では、周波数ドメイン内の上記のオフセットは、チャネルの数、チャネルグループの数、物理リソースブロック（ＰＲＢ）の数、ＰＲＢグループの数、またはサブキャリアの数のうちの１つ以上によって表される。
【０１８６】
ある実施形態では、リソースの周波数ドメイン場所は、周波数ドメイン内のリソースの中心場所である、リソースの周波数ドメイン場所は、周波数ドメイン内のリソースの境界場所である、リソースの周波数ドメイン場所は、周波数ドメイン内のリソースの中心場所および周波数ドメインリソースの帯域幅である、リソースの周波数ドメイン場所は、周波数ドメイン内のリソースの境界場所および周波数ドメインリソースの帯域幅である、またはリソースの周波数ドメイン場所は、周波数ドメインリソースの帯域幅である。
【０１８７】
上記に説明される種々のモジュールは、ソフトウェアまたはハードウェアによって実装されてもよいことに留意されたい。ハードウェアによる実装は、以下の様式において実施され得るが、必ずしも、そのように実施されなくてもよい、すなわち、上記に説明される種々のモジュールは、同一プロセッサ内に位置する、または上記に説明される種々のモジュールは、任意の組み合わせ形態において、異なるプロセッサ内に位置する。
【０１８８】
本ソリューションの実施形態はさらに、リソース場所を受信するための方法を提供する。図２に示されるソリューションに対応する、図１３は、本ソリューションのある実施形態による、リソース場所を受信するための方法のフローチャートである。図１３に示されるように、本方法は、下記に説明されるステップを含む。
【０１８９】
ステップＳ１３０２では、第２のタイプのノードが、リソースの周波数ドメイン場所を示すために第１のタイプのノードによって送信されるリソース場所情報を受信し、周波数ドメイン場所は、第１のリソースの周波数ドメイン場所または第２のリソースの周波数ドメイン場所のうちの少なくとも１つを含み、第１のリソースまたは第２のリソースは、ＢＷＰ、ＰＤＳＣＨによって占有されるリソース、または共通ＣＯＲＥＳＥＴのうちの少なくとも１つを含む。
【０１９０】
ある実施形態では、実行体としての上記のステップにおける第１のタイプのノードは、基地局、具体的には、ＴＲＰ、中継ノード、マクロ基地局、マイクロ基地局、ピコ基地局、ホーム基地局、遠隔無線ユニット（ＲＲＵ）、ＡＰ、または同等物等であってもよく、第２のタイプのノードは、例えば、端末、中継ノードであってもよい。以下の実施形態では、第１のタイプのノードは、例えば、基地局であり、および第２のタイプのノードは、例えば、端末であるが、本ソリューションは、それに限定されない。
【０１９１】
上記のステップＳ１３０２を通して、基地局が、ＢＷＰ、ＰＤＳＣＨ、および共通ＣＯＲＥＳＥＴのリソース場所を示すことができない、関連技術における問題は、解決され、リソース場所の効果的インジケーションの技術的効果を実装する。
【０１９２】
ある実施形態では、第１のリソースの周波数ドメイン場所は、構成されるＳＳブロックの周波数ドメイン場所であり、第２のリソースの周波数ドメイン場所は、共通ＣＯＲＥＳＥＴの周波数ドメイン場所である。
【０１９３】
ある実施形態では、第２のタイプのノードはまた、第１のタイプのノードによって示される第１のリソースの周波数ドメイン場所を受信し、事前に定義されたルールに従って、第２のリソースの周波数ドメイン場所を判定してもよい。
【０１９４】
事前に定義されたルールは、１つ以上の要因と周波数ドメインオフセットとの間の事前に定義された関係であり、要因は、ＳＳブロックインデックス、物理セルＩＤ、ＳＦＮ、または帯域情報のうちの少なくとも１つを含むことに留意されたい。
【０１９５】
ある実施形態では、第２のタイプのノードは、リソース場所情報を受信し、それによって、第１のリソースの周波数ドメイン場所または第２のリソースの周波数ドメイン場所のうちの少なくとも１つを入手する。
【０１９６】
ある実施形態では、第２のタイプのノードは、リソース場所情報を受信し、共通ＣＯＲＥＳＥＴのリソースの周波数ドメイン場所ならびに共通ＣＯＲＥＳＥＴの制御情報によってスケジュールされるリソースの周波数ドメイン場所を入手し、次いで、共通ＣＯＲＥＳＥＴ内で伝送される制御情報と併せて、上記の随意の実施形態において入手されたリソースの時間ドメイン場所を入手する。
【０１９７】
前述の実施形態の説明から、上記に説明される実施形態における方法が、ソフトウェアに加え、必要な汎用ハードウェアプラットフォームによって実装されてもよい、または、当然ながら、ハードウェアによって実装されてもよいことが、当業者に明白となるであろう。しかしながら、多くの場合、前者が、好ましい実装モードである。本理解に基づいて、実質的に、または部分的に、関連技術に寄与する、本ソリューションによる技術的ソリューションは、ソフトウェア製品の形態で具現化されてもよい。コンピュータソフトウェア製品は、記憶媒体（ランダムアクセスメモリ（ＲＡＭ）／読取専用メモリ（ＲＯＭ）、磁気ディスク、または光ディスク等）内に記憶され、端末デバイス（携帯電話、コンピュータ、サーバ、ネットワークデバイス、または同等物であり得る）が、本ソリューションの各実施形態による方法を実行することを可能にするためのいくつかの命令を含む。
【０１９８】
本ソリューションの実施形態はさらに、リソース場所を受信するためのデバイスを提供する。本デバイスは、上記の実施形態および好ましい実施形態を実装するために使用される。説明された内容は、繰り返されないであろう。下記に使用されるように、用語「モジュール」は、所定の機能を実装することが可能なソフトウェア、ハードウェア、またはそれらの組み合わせであってもよい。以下の実施形態に説明される装置は、好ましくは、ソフトウェアによって実装されるが、ハードウェアまたはソフトウェアおよびハードウェアの組み合わせによる実装もまた、可能性として考えられ、想起される。
【０１９９】
図１４は、本ソリューションのある実施形態による、リソース場所を受信するためのデバイスの構造略図である。本デバイスは、端末に適用され、図１４に示されるように、本デバイスは、受信モジュール１４２を含む。
【０２００】
受信モジュール１４２は、リソースの周波数ドメイン場所を示すために第１のタイプのノードによって送信されるリソース場所情報を受信するように構成される。
【０２０１】
周波数ドメイン場所は、第１のリソースの周波数ドメイン場所または第２のリソースの周波数ドメイン場所のうちの少なくとも１つを含み、第１のリソースまたは第２のリソースは、ＢＷＰ、ＰＤＳＣＨによって占有されるリソース、または共通ＣＯＲＥＳＥＴのうちの少なくとも１つを含む。
【０２０２】
図１４に示されるデバイスを通して、基地局が、ＢＷＰ、ＰＤＳＣＨ、および共通ＣＯＲＥＳＥＴのリソース場所を示すことができない、関連技術における問題は、解決され、リソース場所の効果的インジケーションの技術的効果を実装する。
【０２０３】
ある実施形態では、第１のリソースの周波数ドメイン場所は、構成されるＳＳブロックの周波数ドメイン場所であり、第２のリソースの周波数ドメイン場所は、共通ＣＯＲＥＳＥＴの周波数ドメイン場所である。
【０２０４】
ある実施形態では、第２のタイプのノードはまた、第１のタイプのノードによって示される第１のリソースの周波数ドメイン場所を受信し、事前に定義されたルールに従って、第２のリソースの周波数ドメイン場所を判定してもよい。
【０２０５】
事前に定義されたルールは、１つ以上の要因と周波数ドメインオフセットとの間の事前に定義された関係であり、要因は、ＳＳブロックインデックス、物理セルＩＤ、ＳＦＮ、または帯域情報のうちの少なくとも１つを含むことに留意されたい。
【０２０６】
上記に説明される種々のモジュールは、ソフトウェアまたはハードウェアによって実装されてもよいことに留意されたい。ハードウェアによる実装は、以下の様式において実施され得るが、必ずしも、そのように実施されなくてもよい、すなわち、上記に説明される種々のモジュールは、同一プロセッサ内に位置する、または上記に説明される種々のモジュールは、任意の組み合わせ形態において、異なるプロセッサ内に位置する。
【０２０７】
本ソリューションの実施形態はさらに、記憶媒体を提供する。記憶媒体は、記憶されたプログラムを含み、プログラムは、実行されると、本ソリューションの実施形態によるリソース場所を示すための方法を実施する。
【０２０８】
対応して、記憶媒体はさらに、下記に説明されるステップを実行するためのプログラムコードを記憶するように構成されてもよい。
【０２０９】
Ｓ１では、第１のタイプのノードが、リソース場所情報を第２のタイプのノードに送信し、リソース場所情報は、少なくとも、リソースの周波数ドメイン場所を示し、周波数ドメイン場所は、第１のリソースの周波数ドメイン場所または第２のリソースの周波数ドメイン場所のうちの少なくとも１つを含み、第１のリソースまたは第２のリソースは、ＢＷＰ、ＰＤＳＣＨによって占有されるリソース、または共通ＣＯＲＥＳＥＴのうちの少なくとも１つを含む。
【０２１０】
本ソリューションの実施形態はさらに、記憶媒体を提供する。記憶媒体は、記憶されたプログラムを含み、プログラムは、実行されると、本ソリューションの実施形態によるリソース場所を受信するための方法を実施する。
【０２１１】
対応して、記憶媒体はさらに、下記に説明されるステップを実行するためのプログラムコードを記憶するように構成される。
【０２１２】
Ｓ２では、第２のタイプのノードが、リソースの周波数ドメイン場所を示すために第１のタイプのノードによって送信されるリソース場所情報を受信し、周波数ドメイン場所は、第１のリソースの周波数ドメイン場所または第２のリソースの周波数ドメイン場所のうちの少なくとも１つを含み、第１のリソースまたは第２のリソースは、ＢＷＰ、ＰＤＳＣＨによって占有されるリソース、または共通ＣＯＲＥＳＥＴのうちの少なくとも１つを含む。
【０２１３】
記憶媒体は、限定ではないが、ＵＳＢフラッシュディスク、ＲＯＭ、ＲＡＭ、モバイルハードディスク、磁気ディスク、光ディスク、またはプログラムコードを記憶することが可能な別の媒体を含んでもよい。
【０２１４】
本ソリューションの実施形態はさらに、プロセッサを提供する。プロセッサは、プログラムを実行するように構成され、実行されると、プログラムは、本ソリューションの実施形態によるリソース場所を示すための方法を実施する。
【０２１５】
対応して、プログラムは、下記に説明されるステップを実施するように構成される。
【０２１６】
Ｓ１では、第１のタイプのノードが、リソース場所情報を第２のタイプのノードに送信し、リソース場所情報は、少なくとも、リソースの周波数ドメイン場所を示し、周波数ドメイン場所は、第１のリソースの周波数ドメイン場所または第２のリソースの周波数ドメイン場所のうちの少なくとも１つを含み、第１のリソースまたは第２のリソースは、ＢＷＰ、ＰＤＳＣＨによって占有されるリソース、または共通ＣＯＲＥＳＥＴのうちの少なくとも１つを含む。
【０２１７】
本ソリューションの実施形態はさらに、プロセッサを提供する。プロセッサは、プログラムを実行するように構成され、実行されると、プログラムは、本ソリューションの実施形態によるリソース場所を受信するための方法を実施する。
【０２１８】
対応して、プログラムは、下記に説明されるステップを実施するように構成される。
【０２１９】
Ｓ２では、第２のタイプのノードが、リソースの周波数ドメイン場所を示すために第１のタイプのノードによって送信されるリソース場所情報を受信し、周波数ドメイン場所は、第１のリソースの周波数ドメイン場所または第２のリソースの周波数ドメイン場所のうちの少なくとも１つを含み、第１のリソースまたは第２のリソースは、ＢＷＰ、ＰＤＳＣＨによって占有されるリソース、または共通ＣＯＲＥＳＥＴのうちの少なくとも１つを含む。
【０２２０】
本ソリューションの実施形態はさらに、基地局を提供する。図１５に示されるように、基地局は、プロセッサ１５０と、プロセッサによって実行されると、以下の動作、すなわち、リソース場所情報を第２のタイプのノードに送信することを実施する、プロセッサ実行可能命令を記憶する、メモリ１５２とを含み、リソース場所情報は、少なくとも、リソースの周波数ドメイン場所を示し、周波数ドメイン場所は、第１のリソースの周波数ドメイン場所または第２のリソースの周波数ドメイン場所のうちの少なくとも１つを含み、第１のリソースまたは第２のリソースは、ＢＷＰ、ＰＤＳＣＨによって占有されるリソース、または共通ＣＯＲＥＳＥＴのうちの少なくとも１つを含む。
【０２２１】
本ソリューションの実施形態はさらに、端末を提供する。図１６に示されるように、端末は、プロセッサ１６０と、プロセッサによって実行されると、以下の動作、すなわち、リソースの周波数ドメイン場所を示すために第１のタイプのノードによって送信されるリソース場所情報を受信することを実施する、プロセッサ実行可能命令を記憶する、メモリ１６２とを含み、周波数ドメイン場所は、第１のリソースの周波数ドメイン場所または第２のリソースの周波数ドメイン場所のうちの少なくとも１つを含み、第１のリソースまたは第２のリソースは、ＢＷＰ、ＰＤＳＣＨによって占有されるリソース、または共通ＣＯＲＥＳＥＴのうちの少なくとも１つを含む。
【０２２２】
明らかなこととして、当業者によって、本ソリューションの前述のモジュールまたはステップはそれぞれ、汎用コンピューティング装置によって実装されてもよく、モジュールまたはステップは、単一コンピューティング装置上に集中される、または複数のコンピューティング装置から成るネットワーク上に分散されてもよく、代替として、モジュールまたはステップは、モジュールまたはステップが、記憶装置内に記憶され、コンピューティング装置によって実行され得るように、コンピューティング装置によって実行可能なプログラムコードによって実装されてもよいことが理解されるはずである。いくつかの状況では、図示または説明されるステップは、本明細書に説明されるものと異なるシーケンスで実行されてもよい、もしくはモジュールまたはステップは、種々の集積回路モジュールの中に別個に入れられてもよく、もしくは本明細書における複数のモジュールまたはステップは、実装のために、単一集積回路モジュールの中に入れられてもよい。このように、本ソリューションは、ハードウェアおよびソフトウェアの任意の具体的組み合わせに限定されない。
【０２２３】
上記は、本ソリューションの好ましい実施形態のみであり、本ソリューションを限定することを意図するものではなく、当業者にとって、本ソリューションは、種々の修正および変形例を有し得る。本ソリューションの原理内で行われる、任意の修正、均等物代用、改良、および同等物は、本ソリューションの範囲内であるべきである。
【図１】
2020533833.tif 000021
【図２】
2020533833.tif 000022
【図３】
2020533833.tif 000023
【図４】
2020533833.tif 000024
【図５】
2020533833.tif 000025
【図６】
2020533833.tif 000026
【図７】
2020533833.tif 000027
【図８】
2020533833.tif 000028
【図９】
2020533833.tif 000029
【図１０】
2020533833.tif 000030
【図１１】
2020533833.tif 000031
【図１２】
2020533833.tif 000032
【図１３】
2020533833.tif 000033
【図１４】
2020533833.tif 000034
【図１５】
2020533833.tif 000035
【図１６】
2020533833.tif 000036
【手続補正書】
【提出日】令和2年7月16日(2020.7.16)
【手続補正１】
【補正対象書類名】特許請求の範囲
【補正対象項目名】全文
【補正方法】変更
【補正の内容】
【特許請求の範囲】
【請求項１】
リソース場所を示すための方法であって、
第１のタイプのノードによって、物理ブロードキャストチャネル（ＰＢＣＨ）上でリソース場所情報を第２のタイプのノードに送信することを含み、
前記リソース場所情報は、少なくとも、周波数ドメイン内の第２のリソースから第１のリソースの境界場所までの周波数ドメインオフセットに従う、前記第２のリソースの周波数ドメイン場所と、前記第２のリソースの帯域幅とを示し、
前記第２のリソースは、共通制御リソースセットを含み、前記第１のリソースは、同期信号（ＳＳ）ブロックを含み、前記第１のリソースの周波数ドメイン場所は、周波数ドメイン内の前記第１のリソースの前記境界場所および前記第１のリソースの帯域幅によって示される、方法。
【請求項２】
前記周波数ドメインオフセットは、前記周波数ドメイン内の前記第２のリソースの境界場所から前記第１のリソースの前記境界場所までである、請求項１に記載の方法。
【請求項３】
前記周波数ドメイン内の前記オフセットは、オフセットまたはオフセット方向インジケーションを含む、請求項１に記載の方法。
【請求項４】
前記周波数ドメイン内の前記オフセットは、物理リソースブロック（ＰＲＢ）の番号、またはサブキャリアの番号によって表される、請求項１に記載の方法。
【請求項５】
リソース場所を受信するための方法であって、
第２のタイプのノードによって物理ブロードキャストチャネル（ＰＢＣＨ）上で、周波数ドメイン内の第２のリソースから第１のリソースの境界場所までの周波数ドメインオフセットに従う、前記第２のリソースの周波数ドメイン場所と、前記第２のリソースの帯域幅とを示すための、第１のタイプのノードによって送信されるリソース場所情報を受信することを含み、
前記第２のリソースは、共通制御リソースセットを含み、前記第１のリソースは、同期信号（ＳＳ）ブロックを含み、前記第１のリソースの周波数ドメイン場所は、周波数ドメイン内の前記第１のリソースの前記境界場所および前記第１のリソースの帯域幅によって示される、方法。
【請求項６】
前記周波数ドメインオフセットは、前記周波数ドメイン内の前記第２のリソースの境界場所から前記第１のリソースの前記境界場所までである、請求項５に記載の方法。
【請求項７】
リソース場所を示すためのデバイスであって、
物理ブロードキャストチャネル（ＰＢＣＨ）上でリソース場所情報を第２のタイプのノードに送信するように構成される、少なくとも１つのプロセッサを備え、
前記リソース場所情報は、少なくとも、周波数ドメイン内の第２のリソースから第１のリソースの境界場所までの周波数ドメインオフセットに従う、前記第２のリソースの周波数ドメイン場所と、前記第２のリソースの帯域幅とを示し、
前記第２のリソースは、共通制御リソースセットを含み、前記第１のリソースは、同期信号（ＳＳ）ブロックを含み、前記第１のリソースの周波数ドメイン場所は、周波数ドメイン内の前記第１のリソースの前記境界場所および前記第１のリソースの帯域幅によって示される、デバイス。
【請求項８】
前記周波数ドメインオフセットは、前記周波数ドメイン内の前記第２のリソースの境界場所から前記第１のリソースの前記境界場所までである、請求項７に記載のデバイス。
【請求項９】
リソース場所を受信するためのデバイスであって、
物理ブロードキャストチャネル（ＰＢＣＨ）上で、周波数ドメイン内の第２のリソースから第１のリソースの境界場所までの周波数ドメインオフセットに従う、前記第２のリソースの周波数ドメイン場所と、前記第２のリソースの帯域幅とを示すための、第１のタイプのノードによって送信されるリソース場所情報を受信するように構成される、少なくとも１つのプロセッサを備え、
前記第２のリソースは、共通制御リソースセットを含み、前記第１のリソースは、同期信号（ＳＳ）ブロックを含み、前記第１のリソースの周波数ドメイン場所は、周波数ドメイン内の前記第１のリソースの前記境界場所および前記第１のリソースの帯域幅によって示される、デバイス。
【請求項１０】
前記周波数ドメインオフセットは、前記周波数ドメイン内の前記第２のリソースの境界場所から前記第１のリソースの前記境界場所までである、請求項９に記載のデバイス。
【請求項１１】
前記周波数ドメインオフセットは、前記第２のリソースの中心周波数から前記第１のリソースの境界点までである、請求項９に記載のデバイス。
【請求項１２】
前記第２のリソースの前記中心周波数から前記第１のリソースの前記境界場所までの前記周波数ドメインオフセットは、前記第１のリソースの前記境界場所に対する前記第２のリソースの前記中心周波数の相対的物理リソースブロック（ＰＲＢ）番号、および前記相対的ＰＲＢ番号に対応する周波数ドメイン場所に対する前記第２のリソースの前記中心周波数の相対的サブキャリア番号によって表される、請求項１１に記載のデバイス。
【請求項１３】
前記周波数ドメイン内の前記オフセットは、オフセットまたはオフセット方向インジケーションを含む、請求項９に記載のデバイス。
【請求項１４】
前記周波数ドメイン内の前記オフセットは、物理リソースブロック（ＰＲＢ）の番号、またはサブキャリアの番号によって表される、請求項９に記載のデバイス。
【請求項１５】
前記周波数ドメイン内の前記オフセットは、オフセットまたはオフセット方向インジケーションを含む、請求項５に記載の方法。
【請求項１６】
前記周波数ドメイン内の前記オフセットは、物理リソースブロック（ＰＲＢ）の番号、またはサブキャリアの番号によって表される、請求項５に記載の方法。
【請求項１７】
前記周波数ドメインオフセットは、前記第２のリソースの中心周波数から前記第１のリソースの境界点までである、請求項７に記載のデバイス。
【請求項１８】
前記第２のリソースの前記中心周波数から前記第１のリソースの前記境界場所までの前記周波数ドメインオフセットは、前記第１のリソースの前記境界場所に対する前記第２のリソースの前記中心周波数の相対的物理リソースブロック（ＰＲＢ）番号、および前記相対的ＰＲＢ番号に対応する周波数ドメイン場所に対する前記第２のリソースの前記中心周波数の相対的サブキャリア番号によって表される、請求項１７に記載のデバイス。
【請求項１９】
前記周波数ドメイン内の前記オフセットは、オフセットまたはオフセット方向インジケーションを含む、請求項７に記載のデバイス。
【請求項２０】
前記周波数ドメイン内の前記オフセットは、物理リソースブロック（ＰＲＢ）の番号、またはサブキャリアの番号によって表される、請求項７に記載のデバイス。
【手続補正２】
【補正対象書類名】明細書
【補正対象項目名】００４２
【補正方法】変更
【補正の内容】
【００４２】
本ソリューションの実施形態によって提供される、リソース場所を示し、それを受信するための方法、デバイス、装置（端末、基地局、またはプロセッサ）、および記憶媒体では、第１のタイプのノードが、リソース場所情報を第２のタイプのノードに送信し、リソース場所情報は、少なくとも、リソースの周波数ドメイン場所を示し、周波数ドメイン場所は、第１のリソースの周波数ドメイン場所または第２のリソースの周波数ドメイン場所のうちの少なくとも１つを含み、第１のリソースまたは第２のリソースは、ＢＷＰ、ＰＤＳＣＨによって占有されるリソース、または共通ＣＯＲＥＳＥＴのうちの少なくとも１つを含む。言い換えると、第１のタイプのノードは、基地局が、ＢＷＰ、ＰＤＳＣＨ、および共通ＣＯＲＥＳＥＴのリソース場所を効果的に示すように、リソース場所情報を第２のタイプのノードに送信し、リソースの周波数ドメイン場所を示す。
本願明細書は、例えば、以下の項目も提供する。
（項目１）
リソース場所を示すための方法であって、
第１のタイプのノードによって、リソース場所情報を第２のタイプのノードに送信することを含み、
前記リソース場所情報は、少なくとも、リソースの周波数ドメイン場所を示し、
前記周波数ドメイン場所は、第１のリソースの周波数ドメイン場所または第２のリソースの周波数ドメイン場所のうちの少なくとも１つを含み、前記第１のリソースまたは前記第２のリソースは、帯域幅部分（ＢＷＰ）、物理ダウンリンク共有チャネル（ＰＤＳＣＨ）によって占有されるリソース、または共通制御リソースセットのうちの少なくとも１つを含む、方法。
（項目２）
前記第１のリソースの周波数ドメイン場所は、同期信号（ＳＳ）ブロックの周波数ドメイン場所であり、
前記第２のリソースの周波数ドメイン場所は、前記共通制御リソースセットの周波数ドメイン場所である、項目１に記載の方法。
（項目３）
前記共通制御リソースセットは、前記ＢＷＰまたは前記ＰＤＳＣＨによって占有されるリソース内に位置する、または
前記共通制御リソースセットは、前記ＢＷＰまたは前記ＰＤＳＣＨによって占有されるリソースと部分的に重複する、または
前記共通制御リソースセットは、前記ＢＷＰまたは前記ＰＤＳＣＨによって占有されるリソースと重複しない、または
前記共通制御リソースセットは、前記ＢＷＰまたは前記ＰＤＳＣＨによって占有されるリソースとの固定関係を有していない、項目１に記載の方法。
（項目４）
前記共通制御リソースセット内で伝送される制御情報によってスケジュールされるリソースは、前記ＢＷＰまたは前記ＰＤＳＣＨによって占有されるリソース内に位置する、項目１に記載の方法。
（項目５）
前記第１のタイプのノードが前記第１のリソースの周波数ドメイン場所を前記第２のタイプのノードに示すことは、
前記第１のリソースから参照点までの周波数ドメインオフセットを示すこと、または
前記第１のリソースから参照点までの周波数ドメインオフセットおよび前記第１のリソースの帯域幅を示すこと
を含み、
前記参照点は、物理キャリア、ダウンリンクＳＳ帯域幅、またはダウンリンクＳＳブロックのうちの任意の１つの中心または境界を含む、項目１に記載の方法。
（項目６）
前記第１のタイプのノードが前記第２のリソースの周波数ドメイン場所を前記第２のタイプのノードに示すことは、
前記第２のリソースから参照点または前記第１のリソースまでの周波数ドメインオフセットを示すこと、または
前記第２のリソースから参照点または前記第１のリソースまでの周波数ドメインオフセットおよび前記第２のリソースの帯域幅または前記第２のリソースの帯域幅と前記第１のリソースの帯域幅との間の関係を示すこと
を含み、
前記参照点は、物理キャリア、ダウンリンクＳＳ帯域幅、またはＳＳブロックのうちの任意の１つの中心または境界を含む、項目１に記載の方法。
（項目７）
前記ＢＷＰの周波数ドメイン場所を示すことは、前記ＢＷＰのインデックスを示すことを含む、項目１に記載の方法。
（項目８）
前記第１のリソースの周波数ドメイン場所は、以下の様式において、前記ＳＳブロックの周波数ドメイン場所であると判定される、すなわち、
前記第１のタイプのノードは、システム帯域幅内の１つ以上のＳＳブロックを構成し、各ＳＳブロックの周波数ドメイン場所は、インデックスに対応し、
前記第１のリソースの周波数ドメイン場所は、前記１つ以上のＳＳブロックの周波数ドメイン場所のうちの１つとして構成される、項目２に記載の方法。
（項目９）
前記ＳＳブロックの周波数ドメイン場所を示すことは、前記ＳＳブロックの周波数ドメイン場所インデックスを示すことを含む、項目２に記載の方法。
（項目１０）
前記第１のタイプのノードが前記リソースの周波数ドメイン場所を前記第２のタイプのノードに示すことは、
前記第１のタイプのノードによって、物理ブロードキャストチャネル（ＰＢＣＨ）に関するリソース場所情報を伝送すること、
前記第１のタイプのノードによって、無線リソース制御（ＲＲＣ）専用シグナリングに関するリソース場所情報を伝送すること、
前記第１のタイプのノードによって、前記第１のリソースの周波数ドメイン場所情報をＰＢＣＨ上で伝送し、前記第２のリソースの周波数ドメイン場所情報をＲＲＣ専用シグナリング上で伝送すること、または
前記第１のリソースの周波数ドメイン場所情報および／または前記第２のリソースの周波数ドメイン場所情報の一部をＰＢＣＨ上で伝送し、前記第２のリソースの周波数ドメイン場所情報の残りの部分をＲＲＣシグナリング上で伝送すること
のうちの１つを含む、項目１に記載の方法。
（項目１１）
前記ＲＲＣ専用シグナリングは、前記第１のタイプのノードに隣接するノードによって前記第２のタイプのノードに送信される、項目１０に記載の方法。
（項目１２）
前記周波数ドメイン内のオフセットは、オフセットまたはオフセット方向インジケーションのうちの少なくとも１つを含む、項目５または６に記載の方法。
（項目１３）
前記周波数ドメイン内のオフセットは、チャネルの番号、チャネルグループの番号、物理リソースブロック（ＰＲＢ）の番号、ＰＲＢグループの番号、またはサブキャリアの番号のうちの少なくとも１つによって表される、項目５または６に記載の方法。
（項目１４）
前記リソースの周波数ドメイン場所は、周波数ドメイン内のリソースの中心場所である、
前記リソースの周波数ドメイン場所は、周波数ドメイン内のリソースの境界場所である、
前記リソースの周波数ドメイン場所は、周波数ドメイン内のリソースの中心場所および周波数ドメインリソースの帯域幅である、
前記リソースの周波数ドメイン場所は、周波数ドメイン内のリソースの境界場所および周波数ドメインリソースの帯域幅である、または
前記リソースの周波数ドメイン場所は、周波数ドメインリソースの帯域幅である、項目１に記載の方法。
（項目１５）
リソース場所を受信するための方法であって、
第２のタイプのノードによって、リソースの周波数ドメイン場所を示すために第１のタイプのノードによって送信されるリソース場所情報を受信することを含み、
前記周波数ドメイン場所は、第１のリソースの周波数ドメイン場所または第２のリソースの周波数ドメイン場所のうちの少なくとも１つを含み、前記第１のリソースまたは前記第２のリソースは、帯域幅部分（ＢＷＰ）、物理ダウンリンク共有チャネル（ＰＤＳＣＨ）によって占有されるリソース、または共通制御リソースセットのうちの少なくとも１つを含む、方法。
（項目１６）
前記第１のリソースの周波数ドメイン場所は、同期信号ブロック（ＳＳブロック）の周波数ドメイン場所であり、
前記第２のリソースの周波数ドメイン場所は、前記共通制御リソースセットの周波数ドメイン場所である、項目１５に記載の方法。
（項目１７）
前記第２のタイプのノードによって、前記第１のタイプのノードによって示される前記第１のリソースの周波数ドメイン場所を受信し、事前に定義されたルールに従って、前記第２のリソースの周波数ドメイン場所を判定することをさらに含む、項目１５に記載の方法。
（項目１８）
前記事前に定義されたルールは、１つ以上の要因と周波数ドメインオフセットとの間の事前に定義された関係であり、前記要因は、ＳＳブロックインデックス、物理セル識別子、システムフレーム番号、または帯域情報のうちの少なくとも１つを含む、項目１７に記載の方法。
（項目１９）
第１のタイプのノードに適用される、リソース場所を示すためのデバイスであって、
リソース場所情報を第２のタイプのノードに送信するように構成される、送信モジュールを備え、
前記リソース場所情報は、少なくとも、リソースの周波数ドメイン場所を示し、
前記周波数ドメイン場所は、第１のリソースの周波数ドメイン場所または第２のリソースの周波数ドメイン場所のうちの少なくとも１つを含み、前記第１のリソースまたは前記第２のリソースは、帯域幅部分（ＢＷＰ）、物理ダウンリンク共有チャネル（ＰＤＳＣＨ）によって占有されるリソース、または共通制御リソースセットのうちの少なくとも１つを含む、デバイス。
（項目２０）
前記第１のリソースの周波数ドメイン場所は、同期信号ブロック（ＳＳブロック）の周波数ドメイン場所であり、
前記第２のリソースの周波数ドメイン場所は、前記共通制御リソースセットの周波数ドメイン場所である、項目１９に記載のデバイス。
（項目２１）
第２のタイプのノードに適用される、リソース場所を受信するためのデバイスであって、
リソースの周波数ドメイン場所を示すために第１のタイプのノードによって送信されるリソース場所情報を受信するように構成される、受信モジュールを備え、
前記周波数ドメイン場所は、第１のリソースの周波数ドメイン場所または第２のリソースの周波数ドメイン場所のうちの少なくとも１つを含み、前記第１のリソースまたは前記第２のリソースは、帯域幅部分（ＢＷＰ）、物理ダウンリンク共有チャネル（ＰＤＳＣＨ）によって占有されるリソース、または共通制御リソースセットのうちの少なくとも１つを含む、デバイス。
（項目２２）
前記第１のリソースの周波数ドメイン場所は、同期信号ブロック（ＳＳブロック）の周波数ドメイン場所であり、
前記第２のリソースの周波数ドメイン場所は、前記共通制御リソースセットの周波数ドメイン場所である、項目２１に記載のデバイス。
（項目２３）
記憶されたプログラムを備える、記憶媒体であって、前記プログラムは、実行されると、項目１−１４のいずれか１項に記載のリソース場所を示すための方法を実施する、記憶媒体。
（項目２４）
記憶されたプログラムを備える、記憶媒体であって、前記プログラムは、実行されると、項目１５−１８のいずれか１項に記載のリソース場所を受信するための方法を実施する、記憶媒体。
（項目２５）
プログラムを実行するように構成される、プロセッサであって、実行されると、項目１−１４のいずれか１項に記載のリソース場所を示すための方法を実施する、プロセッサ。
（項目２６）
プログラムを実行するように構成される、プロセッサであって、実行されると、項目１５−１８のいずれか１項に記載のリソース場所を受信するための方法を実施する、プロセッサ。
（項目２７）
基地局であって、
プロセッサと、前記プロセッサによって実行されると、リソース場所情報を第２のタイプのノードに送信する動作を実施する、プロセッサ実行可能命令を記憶するメモリとを備え、前記リソース場所情報は、少なくとも、リソースの周波数ドメイン場所を示し、
前記周波数ドメイン場所は、第１のリソースの周波数ドメイン場所または第２のリソースの周波数ドメイン場所のうちの少なくとも１つを含み、前記第１のリソースまたは前記第２のリソースは、帯域幅部分（ＢＷＰ）、物理ダウンリンク共有チャネル（ＰＤＳＣＨ）によって占有されるリソース、または共通制御リソースセットのうちの少なくとも１つを含む、基地局。
（項目２８）
端末であって、
プロセッサと、前記プロセッサによって実行されると、リソースの周波数ドメイン場所を示すために第１のタイプのノードによって送信されるリソース場所情報を受信する動作を実施する、プロセッサ実行可能命令を記憶するメモリとを備え、
前記周波数ドメイン場所は、第１のリソースの周波数ドメイン場所または第２のリソースの周波数ドメイン場所のうちの少なくとも１つを含み、前記第１のリソースまたは前記第２のリソースは、帯域幅部分（ＢＷＰ）、物理ダウンリンク共有チャネル（ＰＤＳＣＨ）によって占有されるリソース、または共通制御リソースセットのうちの少なくとも１つを含む、端末。
【国際調査報告】
2020533833.tif 000037
2020533833.tif 000038
2020533833.tif 000039
2020533833.tif 000040